(57)【特許請求の範囲】
【請求項１】
送出リスト作成部と、送出用媒体編集部と、送出用被制御部とを具備してなり、
上記送出リスト作成部は、番組を構成する各項目の送出順序を決定する送出順序決定手段と、
上記送出順序決定手段にて決定された送出順序に基づいて、番組を放送するための送出リストを作成する送出リスト作成手段と、
上記送出順序決定手段での送出用媒体に対する送出順序の決定に基づいて、識別情報を生成する識別情報生成手段とを有し、
上記送出用媒体編集部は、上記送出用媒体の所定領域に上記識別情報を記録する識別情報記録手段を有し、
上記送出用被制御部は、上記送出用媒体編集部から投入された上記送出用媒体から上記識別情報を読み取る識別情報読取り手段と、
上記識別情報読取り手段にて読み取った識別情報に基づいて、上記送出リストに対し、送出順序の照会を行う送出順序照会手段と、
上記送出順序照会手段からの照会結果に基づいて、送出順序情報を作成する送出順序情報作成手段と、  送出合図の入力に基づいて、上記送出順序情報から送出すべき送出用媒体を選択する送出用媒体選択手段と、
上記送出用媒体選択手段にて選択された上記送出用媒体に対して、情報信号の再生送出を行う再生手段とを有することを特徴とする番組送出システム。
【請求項２】
上記再生手段は、上記送出用媒体が着脱自在に収容される複数の収容棚を有することを特徴とする請求項１記載の番組送出システム。
【請求項３】
番組を構成する各項目の送出順序を決定する送出順序決定手段と、
上記送出順序決定手段にて決定された送出順序に基づいて、番組を放送するための送出リストを作成する送出リスト作成手段と、
送出用媒体の所定領域の情報を読み取って、識別情報の有無を検出する識別情報検出手段と、
上記識別情報検出手段での検出結果を識別表示する検出結果識別表示手段と、
上記検出結果が有効である場合、上記読み取った識別情報の上記送出リスト上での登録の有無を照合する識別情報照合手段と、
上記検出結果が無効である場合、上記送出リスト作成手段に対して項目確認指令を出力し、未照合項目の提示を要求する未照合項目処理手段と、
上記識別情報照合手段にて受けた有効回答又は未照合項目処理手段にて受けた項目提示に対する選択的な決定に基づいて、送出用媒体に対して情報信号の再生送出を行う再生手段とを有することを特徴とする番組送出システム。
【請求項４】
上記識別情報は、上記送出順序決定手段での送出用媒体に対する送出順序の決定に基づいて、識別情報を生成する識別情報生成手段にて生成された識別情報であって、かつ送出用媒体の所定領域に識別情報を記録する識別情報記録手段にて記録された情報であることを特徴とする請求項３記載の番組送出システム。
【請求項５】
上記識別情報生成手段は、生成した上記識別情報を記録媒体に記録する手段を有し、上記識別情報記録手段は、記録媒体に記録された上記識別情報を読み取る手段を有することを特徴とする請求項１又は４記載の番組送出システム。
【請求項６】
上記記録媒体は、ＩＣカードであることを特徴とする請求項５記載の番組送出システム。
【請求項７】
上記送出用媒体は、ビデオカセットに収納されたビデオテープであり、上記識別情報は、識別情報記録手段を通じ、タイムコード発生器にて所定トラックの所定領域に記録されることを特徴とする請求項１、４又は５記載の番組送出システム。
【請求項８】
上記送出合図の入力前に予め上記ビデオテープの頭出しを行う頭出し処理手段を有することを特徴とする請求項７記載の番組送出システム。
【請求項９】
上記送出合図の所定時間前に入力されるスタンバイ指令に基づいて、上記ビデオテープの頭出しを行う頭出し処理手段を有することを特徴とする請求項７記載の番組送出システム。
【請求項１０】
上記頭出し処理手段は、上記ビデオテープの所定トラックに記録されたタイムコードに基づいて頭出しを行うことを特徴とする請求項８又は９記載の番組送出システム。
【発明の詳細な説明】
【０００１】
【産業上の利用分野】
本発明は、放送番組を構成する複数の項目を予め設定された送出順序に沿って送出する番組送出システムに関する。
【０００２】
【従来の技術】
一般に、放送番組の送出は、例えばニュース番組を例にとって説明すると、まず、案出された番組イメージから項目、送出順、項目構成（映像，コンピュータ・グラフィク，文字スーパーなど）、ＶＴＲ仕上がり時間、担当者等が決められ、この決定された事項に沿って、デスク担当者がデータを打ち込んで、あるいは手書きで１つの番組項目表と項目毎の項目構成表を作り上げる。
【０００３】
デスク担当者によって作成された番組項目表と項目毎の項目構成表に基づいて、取材及び取材結果に基づいての原稿（取材原稿）の作成並びに取材テープの編集が行なわれ、同時にコンピュータ・グラフィク及び文字スーパーの作成等も行なわれる。
【０００４】
そして、取材原稿がアナウンサにまわされ、編集テープが送出用の機器である例えばＶＴＲや多数のビデオカセットを収容できるビデオカートマシン等にセットされ、更にコンピュータ・グラフィック及び文字スーパーの各データがそれぞれＣＧ装置及び文字スーパー出力装置に入力されることになる。
【０００５】
並行して上記番組項目表と項目毎の項目構成表に基づいて、オン・エア用の進行合図一覧表（一般に、キュー・シート（Cue Sheet ）と称されている）を作成する。このキュー・シートは、手書きで作成する場合や専用のデータ処理プログラムによって電子的に作成される場合がある。後者の場合は、送出コンソール（操作卓）のモニタにキュー・シートが表示されることになる。
【０００６】
そして、このキュー・シートに基づいて、オペレータが合図を送ることにより、被制御機器（ＶＴＲやＣＧ装置など）からその項目内容が送出されて番組が進行することになる。
【０００７】
【発明が解決しようとする課題】
ところで、ニュース番組などの番組の中で送出される映像の素材であるビデオテープは、そのテープの収録内容を記載したラベル等をこのテープが収納されたビデオカセットに貼着し、予め決められた送出順番に沿って、オペレータがＶＴＲに挿入・装着して頭出しをしている。
【０００８】
しかし、急に送出順番を入れ替える必要が生じたときなどは、新たに送出するビデオテープを用意してＶＴＲに挿入して頭出しをしたり、すでにＶＴＲに入っているビデオカセットを取り出したりするという作業が必要になってくる。
【０００９】
また、送出する素材を切り換える役目をするスイッチャーと呼ばれるオペレータは、どの項目のビデオテープがどのＶＴＲに入れられて、スタンバイされたのかを口頭で確認を取りながら、スイッチングをして送出を進めていくことが必要であった。
【００１０】
この方法は、オペレータ間の言葉によるコミュニケーションであるため、人為的ミスなどが原因で、確実な送出が保証されず、送出事故になるケースが多かった。また、急な変更を行なうことも困難であった。
【００１１】
本発明は、上記の課題に鑑みてなされたもので、その目的とするところは、送出用媒体がどの機器に入っているかを全く気にすることなく、スケジュールされた通りに確実な送出を行えることができ、しかも、急な送出順番の変更も自動的に行える番組送出システムを提供することにある。
【００１２】
本発明の他の目的は、識別情報が記録されていない送出用媒体であっても、簡単な操作で項目を決定し、頭出しをするだけで、疑似的に識別情報が付与された送出用媒体のように自動送出を行なうことができる番組送出システムを提供することにある。
【００１３】
【課題を解決するための手段】
本発明に係る番組送出システムは、送出リスト作成部と、送出用媒体編集部と、送出用被制御部とを具備してなり、送出リスト作成部に、番組を構成する各項目の送出順序を決定する送出順序決定手段１と、送出順序決定手段にて決定された送出順序に基づいて、番組を放送するための送出リストを作成する送出リスト作成手段５と、送出順序決定手段１での送出用媒体に対する送出順序の決定に基づいて、識別情報を生成する識別情報生成手段１３４とを設け、送出用媒体編集部に、送出用媒体の所定領域に識別情報を記録する識別情報記録手段２１９を設け、送出用被制御部に、送出用媒体編集部から投入された送出用媒体から識別情報を読み取る識別情報読取り手段３２３と、この識別情報読取り手段３２３にて読み取った識別情報に基づいて、送出リストに対し、送出順序の照会を行う送出順序照会手段３２６と、この送出順序照会手段３２６からの照会結果に基づいて、送出順序情報を作成する送出順序情報作成手段３２２と、送出合図の入力に基づいて、送出順序情報から送出すべき送出用媒体を選択する送出用媒体選択手段３２４と、この送出用媒体選択手段３２４にて選択された送出用媒体に対して、情報信号の再生送出を行う再生手段２１とを設けて構成する。
【００１４】
この場合、上記再生手段２１としては、送出用媒体が着脱自在に収容される複数の収容棚を有して構成されていてもよい。
【００１５】
また、本発明に係る番組送出システムは、番組を構成する各項目の送出順序を決定する送出順序決定手段１と、この送出順序決定手段１にて決定された送出順序に基づいて、番組を放送するための送出リストを作成する送出リスト作成手段５と、送出用媒体の所定領域の情報を読み取って、識別情報の有無を検出する識別情報検出手段４２３と、この識別情報検出手段４２３での検出結果を識別表示する検出結果識別表示手段４２４と、上記検出結果が有効である場合、読み取った識別情報の送出リスト上での登録の有無を照合する識別情報照合手段４２２と、
上記検出結果が無効である場合、送出リスト作成手段５に対して項目確認指令を出力し、未照合項目の提示を要求する未照合項目処理手段４２７と、上記識別情報照合手段４２２にて受けた有効回答又は未照合項目処理手段４２７にて受けた項目提示に対する選択的な決定に基づいて、送出用媒体に対して情報信号の再生送出を行う再生手段７１とを設けて構成する。
【００１６】
上記識別情報としては、送出順序決定手段１での送出用媒体に対する送出順序の決定に基づいて、識別情報を生成する識別情報生成手段１３４にて生成された識別情報であって、かつ送出用媒体の所定領域に識別情報を記録する識別情報記録手段２１９にて記録された情報であってもよい。
【００１７】
また、上記識別情報生成手段１３４として、生成した識別情報を記録媒体１０に記録する手段１０８を設け、識別情報記録手段２１９として、記録媒体１０に記録された識別情報を読み取る手段２０８を設けて構成してもよい。なお、この記録媒体としては、ＩＣカード１０を用いることができる。
【００１８】
また、上記送出用媒体は、ビデオカセット１１に収納されたビデオテープであり、上記識別情報は、識別情報記録手段２１９を通じ、タイムコード発生器２１６にて所定トラックの所定領域に記録されるようにしてもよい。
【００１９】
また、送出合図の入力前に予めビデオテープの頭出しを行う頭出し処理手段（３２５，４２５）を設けてもよい。この場合、送出合図の所定時間前に入力されるスタンバイ指令に基づいて、ビデオテープの頭出しを行うようにしてもよい。また、頭出し処理手段（３２５，４２５）を、ビデオテープの所定トラックに記録されたタイムコードに基づいて頭出しを行うように構成してもよい。
【００２０】
【作用】
本発明に係る番組送出システムにおいては、まず、送出リスト作成部において、送出順序決定手段１での送出用媒体に対する送出順序の決定に基づき、識別情報生成手段１３４にて識別情報が生成される。生成された識別情報は、送出用媒体編集部における識別情報記録手段２１９にて送出用媒体の所定領域に記録される。その後、送出順序決定手段１にて決定された送出順序に基づき、送出リスト作成手段５にて番組を放送するための送出リストが作成される。
【００２１】
そして、送出用媒体編集部から送出用被制御部に送出用媒体が投入されると、まず、識別情報読取り手段３２３にて、送出用媒体の所定領域から識別情報が読み取られる。その後、送出順序照会手段３２６が、識別情報読取り手段３２３にて読み取った識別情報に基づいて、上記送出リストに対し、送出順序の照会を行う。
【００２２】
その後、送出順序情報作成手段３２２が、送出順序照会手段３２６からの照会結果に基づいて、送出順序情報を作成する。その後、送出合図の入力に基づいて、送出用媒体選択手段３２４が、送出順序情報から送出すべき送出用媒体を選択する。そして、再生手段２１において、送出用媒体選択手段３２４にて選択された上記送出用媒体に対して、情報信号の再生送出が行なわれる。
【００２３】
このように、本発明に係るシステムにおいては、送出用媒体に記録されている識別番号を読み取って、送出リスト作成部にて作成された送出リストを参照して識別情報の照会を行い、当該送出用媒体が何番目に送出されるべき送出用媒体であるかが特定されることになる。即ち、送出合図があった場合、その合図が示す送出順序にあった送出用媒体が自動的に選択されて再生・送出されることになる。
【００２４】
従って、再生手段が例えば送出用媒体が着脱自在に収容される複数の収容棚を有する場合において、どの棚にどの送出用媒体を収容するか、といったことは全く気にすることなく、スケジュールされた通りに確実な送出を行うことができる。
【００２５】
また、本発明に係るシステムにおいて、識別情報生成手段１３４に、この識別情報生成手段１３４にて生成した識別情報を記録媒体に記録する手段１０８を設け、識別情報記録手段２１９に、記録媒体に記録された識別情報を読み取る手段２０８を設けた場合においては、まず、送出リスト作成部において、識別情報生成手段１３４にて生成した識別情報が記録媒体に記録される。その後、送出用媒体編集部において、記録媒体に記録されている識別情報が読み取られ、その後に識別情報記録手段２１９にて識別情報が送出用媒体の所定領域に記録されることになる。
【００２６】
この場合、記録媒体が上記生成された識別情報を送出用媒体に記録するための中継役として機能し、送出リスト作成部での処理と送出用媒体編集部での処理をそれぞれ個別に行うことができる。
【００２７】
また、送出合図の入力前に予めビデオテープの頭出しを行う頭出し処理手段３２５を設けた場合、あるいは送出合図の所定時間前に入力されるスタンバイ指令に基づいて、ビデオテープの頭出しを行う頭出し処理手段３２５を設けた場合においては、再生手段２１にて当該項目に関するビデオテープに対して再生動作が行われる前に、当該項目に関するビデオテープの頭出しが行われることになる。そのため、送出開始を示す合図と同時にビデオテープに収録されている映像が送出されることになる。
【００２８】
上記頭出し処理手段３２５による頭出しを、上記ビデオテープの所定トラックに記録されたタイムコードに基づいて行うようにした場合は、映像データや音声データ等と異なり、その区別が非常に容易であるため、高精度に頭出しを行うことができる。
【００２９】
また、本発明に係る番組送出システムにおいては、まず、識別情報検出手段４２３にて送出用媒体の所定領域から情報が読み取られ、この情報から識別情報の有無が検出される。その後、検出結果識別表示手段４２４によって、識別情報検出手段４２２での検出結果が識別表示される。この処理にて、オペレータは識別情報の有無を容易に確認することができる。
【００３０】
このとき、検出結果が有効である場合、識別情報照合手段４２２によって上記読み取った識別情報の送出リスト上での登録の有無が照合される。一方、検出結果が無効である場合は、未照合項目処理手段４２７により、送出リスト作成手段５に対して項目確認指令が出力され、未照合項目の提示を要求する。
【００３１】
そして、識別情報照合手段４２２にて受けた有効回答又は未照合項目処理手段４２７にて受けた項目提示に対する選択的な決定に基づいて、送出用媒体に対して情報信号の再生送出が行われる。
【００３２】
即ち、識別情報が記録された送出用媒体においては、識別情報照合手段４２２によって識別情報の送出リスト上での登録の有無が照合され、その照合結果が有効回答のとき、送出用媒体に対して、再生手段による再生動作が行なわれることになる。
【００３３】
一方、識別情報が記録されていない送出用媒体においては、未照合項目処理手段４２７により、送出リスト作成手段５に対して項目確認指令が出力され、未照合項目の提示を要求する。この要求に対して順次に提示されてくる項目を選択し、該当項目の決定に基づいて、はじめて送出用媒体に対し、再生手段による再生動作が行なわれることになる。
【００３４】
このように、識別情報が記録されていない送出用媒体に対しても、疑似的に識別情報が記録されているかのごとく、その自動送出が可能となる。
【００３５】
【実施例】
以下、本発明に係る番組送出システムの実施例を図１〜図４４を参照しながら説明する。
【００３６】
この番組送出システムは、例えば報道制作デスクに設置された番組項目構成表作成装置（端末）１と、例えば編集ブースに設置された複数台（図示の例では３台）のビデオ編集装置２と、オペレータ室に設置された送出コンソール３と、サブコントロールルームに設置された放送用素材を送出するための再生装置（ＶＴＲ，光ディスク再生装置等）や各種再生装置を切り換えるスイッチャーなどの被制御機器群４と、例えば報道制作部に設置され、例えばＬＡＮ（ローカル・エリア・ネットワーク）を通して上記各種装置を集中監視制御するホスト・コンピュータ５とを有する。
【００３７】
ホスト・コンピュータ５は、ＬＡＮを介して供給された番組項目構成表作成装置１からの番組項目表に関するデータファイルを必要に応じてハードディスクなどの外部記憶装置６に蓄積するファイルサーバとしても機能するようになっており、蓄積されたデータファイルは、キーボード等の入力手段７を用いて簡単に検索したり、変更できるようになっている。また、番組項目構成表作成装置１からの読出し要求によって選択的に読み出されてＬＡＮを通じて番組項目構成表作成装置１に供給されるようになっている。これは、定型的な構成をもつ番組等の番組項目表を、番組項目構成表作成装置１にて作成する際に有効であり、一度作成した構成表を読み出して過去の番組項目表を再利用することができ、作成作業の効率を向上させることができる。
【００３８】
また、メイン・コントローラ２７は、番組項目構成表作成装置１にて作成された番組項目表及び項目構成表に関するデータに基づいて、オン・エア用の進行合図一覧表（キュー・シート）を作成し、例えば開始時刻をキーとしたデータファイルとして外部記憶装置６に格納するようになっている。
【００３９】
ホスト・コンピュータ５は、入力された番組項目構成データの開始時刻を常時検索して、現在時刻から３分後に開始時刻となっている番組のデータファイルを送出コンソール３側にＬＡＮを介して送出する。即ち、開始時刻が３分後に迫った番組のデータファイルが送出コンソール３に自動的に供給されることになる。メイン・コントローラ２７はこのデータからキュー・シートを作成する。作成されたキュー・シートは、送出コンソール３に設置されているモニタ上に表示され、オペレータの番組進行、特に合図を出すタイミング（この場合、操作スイッチの操作タイミング）の把握及び番組の全体の流れの把握に供される。キュー・シートの具体例は後述する。
【００４０】
また、このホスト・コンピュータ５は、接続されているキーボード等の入力手段７を操作することにより、蓄積されている番組項目表に関するデータファイル群のうち、選択されたデータファイルをプリンタ８に出力して、そのデータファイルに応じた番組項目表をプリント用紙に所定の印字フォーマットに沿って印刷できるようになっている。
【００４１】
番組項目構成表作成装置１は、放送番組を構成する複数の項目に関する開始時刻、所要時間、放送素材などがその番組の進行順に応じて項目毎に配置された番組項目表と、各項目の放送内容に関する具体的な映像種別や音声種別などの構成表（項目構成表）を作成する装置である。
【００４２】
まず、番組項目表に関しては、作成者が、モニタ画面に表示されている例えば空白枠の番組項目表に、番組イメージと放送順序に沿って、図２に示すように、番組名、作成者名、放送日時、番組を構成する各項目の項目名、開始時刻、所要時間（項目時間）、素材、担当者名、ＶＴＲ送出時間、文字スーパーのタイトルの個数、静止画の出力枚数をキーボードやマウス等の入力手段９を操作して入力することにより、１つの番組項目表が作成できるようになっている。
【００４３】
一方、項目構成表については、図３に示すように、項目番号表示エリアＺ１、項目名表示エリアＺ２、担当者名表示エリアＺ３及び該当項目の番組進行順に沿った具体的な処理順序が表示される内訳表示エリアＺ４から構成され、いずれも入力手段９からのデータ入力によって各エリアに入力データに応じた文字や数値並びにアイコン（絵文字）等が表示されるようになっている。上記内訳表示エリアＺ４は、図示するように、アナウンサの実写映像，ＶＴＲの映像等の映像の種別、映像の放送時間、効果、音声、音声ＭＩＸ、文字スーパーの個数及び具体的なタイトル並びに静止画の内容等が表示されるようになっている。そして、これらの事項を、上記番組項目表と同様に、キーボードやマウス等の入力手段９を操作して入力することにより、１つの項目構成表が作成できるようになっている。
【００４４】
これら番組項目表及び項目構成表の作成にあたっては、ＬＡＮを通じてホスト・コンピュータ５から供給された放送済みの番組項目表及び項目構成表を参考に作成できるようになっている。この装置にて作成された番組項目表及び項目構成表は、ＬＡＮを通じてホスト・コンピュータ５に供給されてそれぞれデータファイルとして外部記憶装置６に格納される。
【００４５】
また、この番組項目構成表作成装置１での番組項目表の作成段階において、素材の欄にＶＴＲを用いるという指示の入力を行なったとき、あるいは項目構成表の作成段階において、映像種別の欄にＶＴＲを用いるという指示の入力を行なったとき、同時にＶＴＲのＩＤ番号が発行される。このとき、この装置の例えばＩＣカードドライバに挿入・装着されているＩＣカード１０に、上記入力された番組名と、放送日時、素材としてＶＴＲが使用される項目名及び上記発行されたＩＤ番号がデータとして登録される。
【００４６】
ビデオ編集装置２は、ビデオ編集者が操作パネルにある各種操作ボタン等を操作して、取材班が持ち帰ったビデオカセット１１に収納されているビデオテープを再生しながらその収録内容を放送用に編集して編集用ビデオテープに記録する装置である。特に、この装置は、上記番組項目構成表作成装置１から持ち込まれたＩＣカード１０が編集対象となっているビデオ編集装置２の前段に接続されているコントローラ１２の一つに挿入されると、当該コントローラ１２を通じてビデオ編集装置２に挿入・装着されているビデオカセット１１内の編集用ビデオテープの例えば先頭の映像トラック（空白）に、上記ＩＣカード１０に登録されているデータ（即ち、登録データ）中、番組名、放送日時及び項目名のデータが一覧表示データとして書き込み、更に発行されたＩＤ番号のデータが所定トラック（例えばキュートラック）に書き込むように構成されている。
【００４７】
ビデオ編集者は、上記ＩＣカード１０の登録データが編集用ビデオテープに書き込まれたことを確認した後、取材テープの内容を編集しながら編集用ビデオテープに記録していく。
【００４８】
そして、上記ＩＣカード１０のデータが書き込まれた編集済みビデオテープが収納されているビデオカセット１１は、その後、例えばビデオ編集者によって、サブコントロールルームにある例えばビデオカートマシン２１に収納される、あるいは単体の送出用ＶＴＲ２２（２２Ａ又は２２Ｂ）に挿入・装着される。
【００４９】
送出コンソール（操作台）３は、そのコンソールパネルの操作側面中央に２つのモニタ２３及び２４が設置され、操作者が操作しやすい位置に各種操作を行なうためのキーボードや操作ボタン及びジョイ・スティック等の入力手段２５が配置されている。
【００５０】
また、この送出コンソール３は、その内部に、入力手段２５からの入力信号に応じた制御と、モニタ２３及び２４に対する表示データの送出と、インターフェース回路２６を介してのデータの受渡しを行なうメイン・コントローラ２７が設置されている。このインターフェース回路２６には、メイン・コントローラ２７からのローカルバスと、ＬＡＮ及びサブコントロールルーム内の被制御機器群４に通じるシリアルバスが接続されている。
【００５１】
上記２つのモニタ２３及び２４は、両者ともオペレータが画面に直接タッチ（人差指などを画面に接触させること）してメイン・コントローラ２７に座標信号を供給することができるタッチパネル方式となっている。そして、一方のモニタ２３は、ホスト・コンピュータ５からＬＡＮを通して送られてくるオン・エア３分前の番組に関するキュー・シートをその画面上に表示するためのものである。このキュー・シートの内容は、オペレータが直接画面に触れて、画面上に表示されている機能キーを接触選択することにより、項目変更などの操作が行えるようになっている。
【００５２】
ここで、キュー・シートの表示例を図４に基づいて説明すると、このキュー・シートは、その上部に、番組名表示エリアＺ１１，放送日時表示エリアＺ１２が配置され、その下段に各項目の予定開始時刻表示エリアＺ１３が配置され、その下段に番組の項目毎の内訳が表示される内訳表示エリアＺ１４が配置されて構成される。番組の項目毎の内訳は、番組項目表（図２参照）に登録された項目順に沿って、各項目の内訳（図３参照）が表示されるようになっている。
【００５３】
具体的に説明すると、内訳表示エリアＺ１４の最上段に各項目の項目時間の表示エリアＺ１５が配置され、その下段に項目名の表示エリアＺ１６が配置され、最下段に項目番号の表示エリアＺ１７が配置されている。そして、上記項目時間表示エリアＺ１６と上記項目番号表示エリアＺ１７の間に、各項目を構成する枠に関する多数事項の表示エリアが配置されている。枠に関する事項は、枠時間，バックグラウンド映像種別，効果の種別，文字スーパーのタイトル及び３種類の音声種別である。また、このキュー・シートの最右端には、番組を構成する項目に関する事項（項目番号，項目名及び項目時間）が一覧表として表示されるエリアＺ１８が配置されている。
【００５４】
他方のモニタ２４は、１６面のマルチ表示ができるようになっており、緊急ニュースの飛び込みなどのように、放送予定が急に変更されるなど、番組項目表をワークステーションを介して変更する余裕のないときに、１６面にそれぞれ割り当てられた被制御機器群４のシンボルマークを表示し、直接オペレータが画面にタッチすることにより、メイン・コントローラ２７を介して接触選択された被制御機器から放送用データを送出できるようになっている。
【００５５】
被制御機器群４は、その一例を示すと、図５に示すように、アナウンサやスタジオ内にいる番組進行係りに対して番組の進行状況を知らせるために用いられる報知用スピーカや報知用モニタ並びにアナウンサの耳に装着されるイヤホーン等の報知手段３１、放送用カメラ３２、プリセットスイッチャ３３、ＶＴＲ３４、静止画再生装置（静止画データの記録媒体として例えばビデオテープや光磁気ディスク等が使用されている）３５、コンピュータ・グラフィック送出装置３６、第１の音声出力装置（音声データの記録媒体として例えばビデオテープや光磁気ディスク等が使用されている）３７、ＶＴＲスイッチャ３８、ＤＭＥ３９、第２の音声出力装置４０、操作スイッチ４１、ビデオカートマシン２１、第１の送出用ＶＴＲ２２Ａ、第２の送出用ＶＴＲ２２Ｂ、局内時計４２、アラームメッセージ印字用プリンタ４３などである。
【００５６】
これら被制御機器群４は、それぞれ個別のリモート・コントローラ（５１〜６６）を介してリアルタイムネットワークを構成するシリアルバスに接続されている。
【００５７】
ここで、プリセットスイッチャ３３は、リモート・コントローラ５３に入力される送出コンソール３のメイン・コントローラ２７からの制御信号に基づいて、主に放送局外から入力される信号（ネット回線や中継回線など）を切り換えて、その信号をスイッチャーに送るものである。
【００５８】
ＶＴＲスイッチャ３８は、リモート・コントローラ５８に入力されるメイン・コントローラ２７からの制御信号に基づいて、ビデオカートマシン２１、第１の送出ＶＴＲ２２Ａ及び第２の送出ＶＴＲ２２Ｂからの各映像データを順次切り換えて、選択的に上記放送機器に送出するように構成されている。
【００５９】
操作スイッチ４１は、送出コンソール３に向かって操作するオペレータが番組の進行に従って適宜操作されるもので、オペレータが操作するたびに番組進行のトリガーパルスをリモート・コントローラ６１を介してメイン・コントローラ２７に与えるスイッチである。
【００６０】
ビデオカートマシン２１は、その内部に複数個のビデオカセット１１が装着できる棚と、この棚から１つのビデオカセット１１を取り出して搬送機構に移動させる取り出し機構と、搬送機構によって搬送されたビデオカセット１１を内部の再生装置に装着させるローディング機構と、サーボ制御や上記各種機構を制御するシステムコントローラとを有する。
【００６１】
局内時計４２は、リモート・コントローラ６５を介してメイン・コントローラ２７に局内の基準時計信号を送出するためのものであり、現在時刻の把握や番組進行等の調整において基になるものである。
【００６２】
アラームメッセージ印字用プリンタ４３は、メイン・コントローラ２７での処理においてソフトウェア上の異常が発生したときや、ある被制御機器にシステムエラーが発生したとき、あるいはオン・エア制御用の内部バスに異常が発生したときなどに、メイン・コントローラ２７からのエラー発生信号及びそのメッセージデータのリモート・コントローラ６６への入力に基づいて、供給されたメッセージデータをプリント用紙に印字するためのものである。これによって、システム全体の集中監視を行なうことができ、異常発生をすばやく検出することが可能となる。
【００６３】
上記のように、被制御機器群４がそれぞれリモート・コントローラ（５１〜６６）を介してシリアルバスに接続することにより、リアルタイムネットワークを構成させ、更に被制御機器毎にリモート・コントローラ（５１〜６６）を分散させて配置するようにしているため、リモート・コントローラを追加するだけで、簡単にシステムの拡張を行なうことができる。
【００６４】
そして、番組項目構成表作成装置１は、図６に示すように、キーボードやマウス及びジョイ・スティックなどの上記入力手段９と、各種プログラムが登録されたプログラムＲＯＭ１０１と、予め設定された固定データが登録されるデータＲＯＭ１０２と、プログラムＲＯＭ１０１から読み出されたプログラムの動作用領域として使用される動作用ＲＡＭ１０３と、入力手段９からの数値データや文字データ並びにプログラムにて作成された可変データが格納されるデータＲＡＭ１０４と、データＲＡＭ１０４に格納されたデータを画像データに変換する画像処理回路１０５と、この画像処理回路１０５からの画像データをアナログの映像信号に変換して後段のモニタ１０６に送出してモニタ画面上に画像データに基づく映像を表示させる映像出力回路１０７と、挿入・装着されたＩＣカード１０に対してデータを書き込むＩＣカードドライバ１０８と、これら各各種回路を制御するＣＰＵ（制御回路と演算回路）１０９とを有して構成されている。ここで、上記画像処理回路１０５、映像出力回路１０７及びモニタ１０６にて表示手段１１０が構成される。
【００６５】
上記各種回路は、ＣＰＵ１０９から導出されたデータバスＤＢを介して各回路間のデータの受渡しが行なわれ、更にＣＰＵ１０９から導出された制御バス（図示せず）を介してそれぞれＣＰＵ１０９にて制御されるように構成されている。
【００６６】
入力手段９からの入力データは、第１の入力ポート１１１を介してデータバスＤＢに供給されるようになっており、ホスト・コンピュータ５からの番組項目表や項目構成表等に関するデータファイルは、途中インターフェース回路１１２を経由し、第２の入力ポート１１３を介してこのデータバスＤＢに供給されるようになっている。
【００６７】
一方、この番組項目構成表作成装置１からの番組項目表及び項目構成表に関するデータファイルは、第１の出力ポート１１４及びインターフェース回路１１２を介してホスト・コンピュータ５に供給されるようになっている。また、データＲＡＭ１０４に格納されたデータは、第２の出力ポート１１５を介して画像処理回路１０５あるいはＩＣカードドライバ１０８に供給されるようになっている。
【００６８】
次に、この番組項目構成表作成装置の動作について図７の機能ブロック図及び図８のフローチャートも参照しながら説明する。
【００６９】
まず、電源ＯＮと同時に初期動作、例えば、装置内のシステムチェックやメモリチェック等が行なわれ、モニタ上にメイン・メニューが表示される（ステップＳ１）。
【００７０】
次に、ステップＳ２において、メイン・メニューから、この場合、「番組項目表作成」を選択する。この「番組項目表作成」を選択した時点で、プログラムＲＯＭから番組項目表の作成手段１２１である番組項目表作成プログラムと、所要時間累積手段１２２である累積演算プログラムと、減算手段１２３である減算プログラムが読み出されて、動作用ＲＡＭ１０３に書き込まれると同時に、これらプログラムの動作中において生成されたデータを一時的に保存するためやプログラム間のパラメータの受渡しなどに用いられる作業領域が動作用ＲＡＭ１０３中に割り付けられる。
【００７１】
上記プログラムの書込みが済んだ時点で、まず、表作成プログラム１２１が起動することによって、モニタ上の画面表示がかわり、すべて空白枠とされた番組項目表（初期設定画面）が表示手段１１０を介して表示される（ステップＳ３）。
【００７２】
これは、表作成プログラム１２１が、例えばデータＲＯＭに登録されている初期設定画面に関するデータを読み出して画像処理回路１０５に出力する、あるいはホスト・コンピュータ５側の外部記憶装置６内に格納されている初期設定画面に関するデータを読み出して画像処理回路１０５に出力する、あるいは図示しないフロッピー・ディスク・ドライバに挿入，装着されているフロッピー・ディスク若しくはハード・ディスクから初期設定画面に関するデータを読み出して画像処理回路１０５に出力することにより行なわれる。
【００７３】
このとき、今回作成する番組項目表の参考として、例えば、ホストコンピュータ５に接続された外部記憶装置６に蓄積されているデータファイル群から、今回作成する番組項目表のとほぼ同じ構成内容を有するデータファイルを読み出してモニタ１０６上に表示したい場合は、入力手段９であるキーボードに配列されているファンクション・キーを操作してデータ読出しを選択し、更にデータファイル番号を入力することにより行なうことができるようになっている（ステップＳ４）。
【００７４】
次に、ステップＳ５において、入力手段９からの入力データ待ちとなり、データが入力された時点で次のステップＳ６に進む。ステップＳ６においては、入力されたデータが項目時間に関するものかどうかが判別される。入力データが項目時間に関するものであるときの処理は後述し、ここでは、入力データが項目時間に関するもの以外の場合について説明する。
【００７５】
まず、ステップＳ７において、入力データが設定時間に関するものかどうかが判別される。入力データが設定時間に関するものであれば、次のステップＳ８に進み、この入力データをデータＲＡＭ１０４に格納する。
【００７６】
一方、入力データが設定時間に関するものでない場合は、ステップＳ９に進み、入力データに応じた処理を行なう。即ち、入力データが番組名に関するものであれば、番組名の表示エリアＺ２１に入力データが示す番組名を表示し、更にこの入力データをデータＲＡＭ１０４に格納する。同様に、入力データが作成者名、放送日時、項目名、開始時刻、素材、担当者名、ＶＴＲ時間、文字スーパーの個数、静止画の枚数などに関するものであれば、その入力データが示す内容を、対応した表示エリアに表示し、更にその入力データをデータＲＡＭ１０４に格納する。
【００７７】
ここで、ステップＳ６に戻り、入力データが項目時間に関するものであれば、次のステップＳ１０に進み、項目時間の表示エリアＺ２２に入力データが示す項目時間を表示し、更にこの入力データをデータＲＡＭ１０４に格納する。次に、ステップＳ１１において、入力された項目時間の累積を行なう。この処理は、例えば入力された項目時間に関するデータが格納されたデータＲＡＭ１０４上のアドレス（便宜的に、データ読出しアドレスと記す）と累積結果を格納するアドレス（便宜的に、累積結果格納アドレスと記す）をパラメータとして累積演算プログラム１２２を起動することにより行なわれる。
【００７８】
累積演算プログラム１２２は、その起動後、パラメータのデータ読出しアドレスで示す領域及び累積結果格納アドレスで示す領域からそれぞれ入力データ（即ち、項目時間データ）及び累積時間データを読み出して、これらデータの和をとり、この和データをパラメータの累積結果格納アドレスで示す領域に再び格納する。これによって、累積結果格納アドレスで示す領域にいままで入力された項目時間データと今回の項目時間データの累積時間データが格納されることになる。
【００７９】
次に、ステップＳ１２において、設定時間から項目毎の累積時間の差分を演算して、以後登録できる項目時間の残時間を求める。この処理は、例えば設定時間データと累積時間データが格納された領域のアドレス（データ読出しアドレス）と減算結果を格納するアドレス（減算結果格納アドレス）をパラメータとして減算プログラム１２３を起動することにより行なわれる。
【００８０】
減算プログラム１２３は、その起動後、パラメータのデータ読出しアドレスで示す領域からそれぞれ設定時間データと累積時間データを読み出して、これらデータの差分をとり、この差分データをパラメータの減算結果格納アドレスで示す領域に格納する。これによって、減算結果格納アドレスで示す領域に設定時間から累積時間を差し引いた残時間データが格納されることになる。
【００８１】
そして、次のステップＳ１３において、上記求めた残時間データを番組項目表の右上にある残時間表示エリアＺ２３に表示する。
【００８２】
次に、ステップＳ１４において、今回作成した番組項目表のデータ登録（データファイル登録）要求が行なわれたかどうかの判別が行なわれる。登録要求があった場合、次のステップＳ１５に進み、今回作成した番組項目表のデータをデータファイルとしてホスト・コンピュータ５側に転送する。一方、登録要求がない場合は、再びステップＳ５に戻って入力データ待ち状態となる。
【００８３】
上記番組項目表のホスト・コンピュータ５側への転送後、次のステップＳ１６において、「終了」が選択されたかどうかの判別が行なわれる。「終了」が選択された場合は、この番組項目構成表作成装置の処理動作が終了し、一方、「終了」が選択されない場合は、再びステップＳ５に戻って入力データ待ち状態となる。
【００８４】
次に、項目構成表を作成する場合について、図９の機能ブロック図及び図１０のフローチャートを参照しながら説明する。
【００８５】
まず、モニタ上にメイン・メニューが表示される段階で、このメイン・メニューから、この場合、「項目構成表作成」を選択する。この「項目構成表作成」を選択した時点で、プログラムＲＯＭから項目構成表の作成手段１３１である構成表作成プログラムと、対象項目の各種事項の読出しを行なう手段１３２である項目事項読出しプログラムと、表示アイコンを選択する手段１３３であるアイコン選択プログラムと、ＩＤ番号を発行する手段１３４であるＩＤ番号発行プログラムが読み出されて、動作用ＲＡＭ１０３に書き込まれると同時に、これらプログラムの動作中において生成されたデータを一時的に保存するためやプログラム間のパラメータの受渡しなどに用いられる作業領域が動作用ＲＡＭ１０３中に割り付けられる（ステップＳ１０１）。
【００８６】
上記プログラムの書込みが済んだ時点で、まず、構成表作成プログラム１３１が起動することによって、モニタ１０６上の画面表示がかわり、すべて空白枠とされた項目構成表（初期設定画面）が表示手段１１０を介して表示される（ステップＳ１０２）。
【００８７】
これは、構成表作成プログラム１３１が、例えばデータＲＯＭ１０２に登録されている初期設定画面に関するデータを読み出して画像処理回路に送出する、あるいはホスト・コンピュータ５側の外部記憶装置６内に格納されている初期設定画面に関するデータを読み出して画像処理回路１０５に出力する、あるいは図示しないフロッピー・ディスク・ドライバに挿入，装着されているフロッピー・ディスク若しくはハード・ディスクから初期設定画面に関するデータを読み出して画像処理回路１０５に送出することにより行なわれる。
【００８８】
このとき、今回作成する項目構成表の参考として、例えば、ホストコンピュータ５に接続された外部記憶装置６に蓄積されているデータファイル群から、今回作成する項目構成表のとほぼ同じ構成内容を有するデータファイルを読み出してモニタ１０６上に表示したい場合は、入力手段９であるキーボードに配列されているファンクション・キーを操作してデータ読出しを選択し、更にデータファイル番号を入力することにより行なうことができるようになっている（ステップＳ３）。
【００８９】
次に、ステップＳ１０４において、入力手段９からの入力データ待ちとなり、データが入力された時点で次のステップＳ１０５に進む。ステップＳ１０５においては、入力されたデータが項目番号に関するものかどうかが判別される。項目番号に関するデータである場合、ステップＳ１０６に進んで、項目番号に対応する各種事項を読み出す。この処理は、構成表作成プログラム１３１から項目事項読出しプログラム１３２が起動されることにより行なわれる。
【００９０】
即ち、項目事項読出しプログラム１３２は、まず、入力された項目番号に関するデータに基づいて、データＲＡＭ１０４に格納されている番組項目表のデータファイルから、あるいはホスト・コンピュータ５側の外部記憶装置６に登録された当該番組項目表のデータファイルから、項目名，項目時間及び担当者名を読み出す（ステップＳ１０６）。そして、構成表作成プログラム１３１は、次のステップＳ１０７において、上記項目事項読出しプログラム１３２が読み出した各種事項を表示手段１１０を介してモニタ１０６に表示し、更にデータＲＡＭ１０４の所定領域、即ち項目構成表が作成される領域に格納する。
【００９１】
一方、上記ステップＳ１０５において、入力データが項目番号に関するデータでない場合は、ステップＳ１０８に進み、入力データがアイコン表示事項（映像種別，音声種別など）に関するデータかどうかが判別される。アイコン表示事項に関するデータである場合は、次のステップＳ１０９に進んで、アイコン選択サブルーチンに入る。
【００９２】
このサブルーチンは、図１１に示すように、まず、ステップＳ１１０において、現在表示されている項目構成表の例えば右端にその事項に応じた複数のアイコンのメニューがウェンドウ表示される。この処理は、構成表作成プログラム１３１からアイコン選択プログラム１３３が起動されることにより行なわれる。即ち、アイコン選択プログラム１３３は、データＲＯＭ１０２に登録されているアイコンテーブル（選択事項別にアイコン用のデータが配置されているテーブル）から今回の入力データの内容（映像種別に関するデータ，音声種別に関するデータ等）に応じたアイコン表示データを読み出し、該データを表示手段１１０を介してモニタ１０６に表示する。
【００９３】
次に、ステップＳ１１１において、アイコン選択に関するデータの入力待ち状態となる。アイコン選択に関するデータが入力された段階で、次のステップＳ１１２に進み、その入力データ（アイコン選択）に応じたアイコン表示データをデータＲＯＭ１０２から読み出す。次に、ステップＳ１１３において、この読み出されたアイコン表示データを、今回選択操作された事項に対応する表示エリアに表示手段１１０を介して表示し、更にデータＲＡＭ１０４に格納する。
【００９４】
その後、ステップＳ１１４において、選択したアイコンが「ＶＴＲ」に関するものかどうかが判別される。「ＶＴＲ」に関するものである場合は、次のステップＳ１１５に進み、ＩＤ番号の発行処理を行なう。この処理は、アイコン選択プログラムからＩＤ番号発行プログラム１３４が起動されることにより行なわれる。即ち、まず、ステップＳ１１５において、例えば所定の英数字列から構成されるＩＤ番号を生成する。次に、ステップＳ１１６において、生成されたＩＣ番号データをデータＲＡＭ１０４の所定領域に格納する。
【００９５】
その後、ステップＳ１１７において、データＲＡＭ１０４から番組名，放送日時及び項目名に関するデータを読み出す。その後、ステップＳ１１８において、読み出した上記番組名，放送日時及び項目名に関するデータをＩＣ番号データとともに第２の出力ポート１１５を介してＩＣカードドライバ１０８に出力し、現在挿入・装着されているＩＣカード１０にこれらデータを登録する。
【００９６】
一方、図１０の上記ステップＳ１０８において、アイコン選択事項でない場合は、ステップＳ１１９に進み、入力データに応じた処理を行なう。即ち、入力データが映像の放送時間に関するものであれば、内訳表示エリアＺ４のうち、放送時間の表示エリアＺ４１に入力データが示す時間を表示し、更にこの入力データをデータＲＡＭ１０４に格納する。同様に、入力データがアイコン選択事項以外の事項に関するもの、例えば文字スーパーの個数及び具体的なタイトル並びに静止画の内容等であれば、その入力データが示す内容を、対応した表示エリアに表示し、更にその入力データをデータＲＡＭ１０４に格納する。
【００９７】
次に、ステップＳ１２０において、今回作成した項目構成表のデータ登録（データファイル登録）要求が行なわれたかどうかの判別が行なわれる。登録要求があった場合、次のステップＳ１２１に進み、今回作成した項目構成表のデータをデータファイルとしてホスト・コンピュータ５側に転送する。一方、登録要求がない場合は、再びステップＳ１０４に戻って入力データ待ち状態となる。
【００９８】
上記項目構成表のホスト・コンピュータ５側への転送後、次のステップＳ１２２において、「終了」が選択されたかどうかの判別が行なわれる。「終了」が選択された場合は、この番組項目構成表作成装置１の処理動作が終了し、一方、「終了」が選択されない場合は、再びステップＳ１０４に戻って入力データ待ち状態となる。
【００９９】
このように、上記番組項目構成表作成装置１においては、番組項目表に項目時間が入力されるたびに、確定した番組の放送時間枠（設定時間）に対する残り時間、即ちこれから入力することができる項目時間の許容範囲を自動的に計算し、残時間データとして画像処理回路１０５に出力して、番組項目表の所定箇所、図２の例では右上の部分に配置された残時間表示エリアＺ２３にするようにしたので、項目の追加／削除、項目時間の変更、項目順の入れ替えなどの編集作業が行なわれた場合でも、即座に残時間が表示されることになり、その結果、番組項目表の作成作業の作業効率が向上し、時間的余裕のない場合での項目変更等にもすばやく対応でき、非常に便利なものとなる。
【０１００】
次に、上記番組項目構成表作成装置の変形例を図１２に示す番組項目表の概略図，図１３に示す機能ブロック図及び図１４のフローチャートに基づいて説明する。
【０１０１】
この変形例に係る番組項目表作成装置は、そのハード構成としては、図６で示す上記番組項目表作成装置と同じであるため、その詳細説明は省略するが、図１２に示すように、作成される番組項目表に確定項目、即ち開始時刻と項目時間を変更できない項目（例えばコマーシャルの項目等）が複数配されることで上記番組項目表作成装置１と異なる。
【０１０２】
従って、追加，変更，削除等が行える項目は、番組の開始時刻から最初の確定項目までの期間（第１の設定可能期間）Ｔ１における項目、２つの確定項目で挟まれた期間（第２の設定可能期間）Ｔ２における項目及び最後の確定項目から番組の終了時刻までの期間（第３の設定可能期間）Ｔ３における項目である。なお、番組によっては、最後の第３の設定可能期間Ｔ３がない場合も有り得る。
【０１０３】
次に、この変形例に係る番組項目表作成装置の処理動作について図１３の機能ブロック図及び図１４のフローチャートを参照しながら説明する。なお、項目構成表の作成手順においては、上記番組項目構成表作成装置と同じであるため、該項目構成表の作成についての説明は省略する。
【０１０４】
まず、ステップＳ２０１からステップＳ２０４までは、上記番組項目表作成装置の処理動作におけるステップＳ１からステップＳ４と同じであり、最初に初期動作が行なわれ、その後、プログラムＲＯＭ１０１から番組項目表の作成手段１２１である表作成プログラムと、所要時間の累積手段１２２である累積演算プログラムと、減算手段１２３である減算プログラムと、第１，第２及び第３の設定可能期間（Ｔ１，Ｔ２及びＴ３）における各所要時間を決定する手段１４２である所要時間決定プログラムと、入力された項目がどの設定可能期間に属するかを検出する手段１４２である期間検出プログラムがそれぞれ読み出されて、動作用ＲＡＭ１０３に書き込まれると同時に、これらプログラムの動作中において生成されたデータを一時的に保存するためやプログラム間のパラメータの受渡しなどに用いられる作業領域が動作用ＲＡＭ１０３中に割り付けられる。その後、表作成プログラム１２１が起動され、初期設定画面の表示が表示手段１１０を介して行なわれる。
【０１０５】
次に、ステップＳ２０５において、入力手段９からのデータ入力待ちとなり、データが入力された時点で次のステップＳ２０６に進む。このステップＳ２０６においては、入力されたデータが確定項目に関するデータかどうかが判別される。入力データが確定項目に関するものであるときの処理は後述し、ここでは、入力データが確定項目に関するもの以外の場合について説明する。
【０１０６】
まず、ステップＳ２０７において、入力データが入力されたデータが項目時間に関するものかどうかが判別される。項目時間に関するものでない場合は、ステップＳ２０８に進み、入力データに応じた処理を行なう。即ち、入力データが番組名に関するものであれば、番組名の表示エリア（図示せず）に入力データが示す番組名を表示手段１１０を介してモニタ１０６の画面に表示し、更にこの入力データをデータＲＡＭ１０４に格納する。同様に、入力データが作成者名、放送日時、確定項目以外の項目に関する事項（即ち、項目名、開始時刻、素材、担当者名、ＶＴＲ時間、文字スーパーの個数、静止画の枚数）などに関するものであれば、その入力データが示す内容を、対応した表示エリアに表示手段１１０を介して表示し、更にその入力データをデータＲＡＭ１０４に格納する。
【０１０７】
ここで、ステップＳ２０６に戻り、入力データが確定項目に関するものであれば、次のステップＳ２０９に進み、入力データがその確定項目における開始時刻に関するものかが判別される。開始時刻に関するものであれば、次のステップＳ２１０に進み、その確定項目の開始時刻の表示エリア（図示せず）にその入力データが示す開始時刻を表示手段１１０を介して表示し、更にその入力データをデータＲＡＭ１０４に格納する。
【０１０８】
次に、ステップＳ２１１において、所要時間決定サブルーチンに入る。このサブルーチンにおける処理は、この表作成プログラム１２１から所要時間決定プログラム１４１を起動し、入力されたデータに基づいて第１，第２又は第３の設定可能期間（Ｔ１，Ｔ２又はＴ３）における所要時間を決定するものである。即ち、図１５に示すように、まず、ステップＳ２１２において、入力されたデータが最初の確定項目に関するものかどうかが判別される。最初の確定項目に関するものである場合は、次のステップＳ２１３に進み、第１の設定可能期間Ｔ１の所要時間（以下、第１の所要時間ｔ１と記す）が算出される。この処理は、入力データが示す開始時刻からすでに入力されている放送日時の時刻を差し引くことによって算出される。具体的には、例えば放送日時の時刻データと最初の確定項目に関する時刻データが格納された領域のアドレス（データ読出しアドレス）と減算結果を格納するアドレス（減算結果格納アドレス）をパラメータとして減算プログラム１２３を起動することにより行なわれる。
【０１０９】
減算プログラム１２３は、その起動後、パラメータのデータ読出しアドレスで示す領域からそれぞれ時刻データを読み出して、これらデータの差分をとり、この差分データをパラメータの減算結果格納アドレスで示す領域に格納する。これによって、減算結果格納アドレスで示す領域に入力データが示す開始時刻からすでに入力されている放送日時の時刻を差し引いた時間データ（即ち、第１の所要時間ｔ１）が格納されることになる。
【０１１０】
一方、ステップＳ２１２において、入力されたデータが最初の確定項目に関するものでない場合は、ステップＳ２１４に進み、入力データが、今度は、最後の確定項目かどうかが判別される。最後の確定項目に関するものである場合は、次のステップＳ２１５に進み、第３の設定可能期間Ｔ３の所要時間（以下、第３の所要時間ｔ３と記す）が算出される。この処理は、予め決定されている終了時刻から上記入力データが示す開始時刻を差し引くことによって算出される。この場合も、上記第１の所要時間ｔ１を求めた方法と同様の方法で算出される。
【０１１１】
上記ステップＳ２１４において、入力データが最後の確定項目に関するものでない場合は、ステップＳ２１６に進み、第２の設定可能期間Ｔ２の所要時間（以下、第２の所要時間ｔ２と記す）が算出される。この処理は、入力データが示す開始時刻からすでに入力されている前の確定項目の開始時刻を差し引くことによって算出される。この場合も、上記第１の所要時間ｔ１を求めた方法と同様の方法で算出される。この第２の所要時間ｔ２の個数は、番組項目表に登録される確定項目の数によって決まり、確定項目が２つであれば１つの第２の所要時間が決定され、確定項目が３つであれば２つの第２の所要時間が決定され、一般的には、確定項目がｎ個であればｎ−１個の第２の所要時間が決定される。従って、最初の確定項目及び最後の確定項目以外の確定項目に関する開始時刻が入力されるたびに、第２の所要時間ｔ２が算出されて、それぞれ対応する領域に格納される。
【０１１２】
図１４のルーチンに戻り、ステップＳ２０９において、入力データが開始時刻でない場合は、ステップＳ２１７に進み、入力データに応じた処理を行なう。即ち、入力データが項目名に関するものであれば、項目名の表示エリアに入力データが示す項目名を表示し、更にこの入力データをデータＲＡＭ１０４に格納する。同様に、入力データが項目時間、素材、担当者名、ＶＴＲ時間、文字スーパーの個数、静止画の枚数などに関するものであれば、その入力データが示す内容を、対応した表示エリアに表示し、更にその入力データをデータＲＡＭ１０４に格納する。
【０１１３】
そして、上記ステップＳ２０７において、入力データが項目時間に関するデータである場合は、ステップＳ２１８に進み、項目時間の表示エリアに入力データが示す項目時間を表示し、更にこの入力データをデータＲＡＭ１０４に格納する。その後、ステップＳ２１９において、期間検出・残時間処理サブルーチンに入る。このサブルーチンにおける処理は、図１６に示すように、まず、ステップＳ２２０において、表作成プログラム１２１から期間検出プログラム１４２が起動され、入力に係る項目が第１の設定可能期間Ｔ１にあるのか、あるいは第２の設定可能期間Ｔ２にあるのか、あるいは第３の設定可能期間Ｔ３にあるのかが検出される。この検出は、入力に係る項目の開始時刻に基づいて行なわれる。
【０１１４】
次に、ステップＳ２２１において、検出された設定可能期間内での項目時間の累積を行なう。この処理は、例えば入力された項目時間に関するデータが格納されたデータＲＡＭ１０４上のアドレス（データ読出しアドレス）と累積結果を格納するアドレス（累積結果格納アドレス）をパラメータとして累積演算プログラム１２２を起動することにより行なわれる。
【０１１５】
累積演算プログラム１２２は、その起動後、パラメータのデータ読出しアドレスで示す領域及び累積結果格納アドレスで示す領域からそれぞれ入力データ（即ち、項目時間データ）及び累積時間データを読み出して、これらデータの和をとり、この和データをパラメータの累積結果格納アドレスで示す領域に再び格納する。これによって、累積結果格納アドレスで示す領域にいままで入力された項目時間データと今回の項目時間データの累積時間データが格納されることになる。
【０１１６】
次に、ステップＳ２２２において、上記ステップＳ２２０にて検出された設定可能期間に対応する所要時間（第１，第２又は第３の所要時間ｔ１，ｔ２又はｔ３）から項目毎の累積時間の差分を演算して、以後登録できる項目時間の残時間を求める。この処理は、例えば該当する所要時間データと累積時間データが格納された領域のアドレス（データ読出しアドレス）と減算結果を格納するアドレス（減算結果格納アドレス）をパラメータとして減算プログラム１２３を起動することにより行なわれる。
【０１１７】
減算プログラム１２３は、その起動後、パラメータのデータ読出しアドレスで示す領域からそれぞれ該当する所要時間データと累積時間データを読み出して、これらデータの差分をとり、この差分データをパラメータの減算結果格納アドレスで示す領域に格納する。これによって、減算結果格納アドレスで示す領域に該当する所要時間から累積時間を差し引いた残時間データが格納されることになる。
【０１１８】
そして、次のステップＳ２２３において、上記求めた残時間データを番組項目表の右上にある残時間表示エリアＺ２３に表示する。
【０１１９】
次に、図１４のルーチン戻り、ステップＳ２２４において、今回作成した番組項目表のデータ登録（データファイル登録）要求が行なわれたかどうかの判別が行なわれる。登録要求があった場合、次のステップＳ２２５に進み、今回作成した番組項目表のデータをデータファイルとしてホスト・コンピュータ５側に転送する。一方、登録要求がない場合は、再びステップＳ２０５に戻って入力データ待ち状態となる。
【０１２０】
上記番組項目表のホスト・コンピュータ側への転送後、次のステップＳ２２６において、「終了」が選択されたかどうかの判別が行なわれる。「終了」が選択された場合は、この番組項目構成表作成装置１の処理動作が終了し、一方、「終了」が選択されない場合は、再びステップＳ２０５に戻って入力データ待ち状態となる。
【０１２１】
このように、上記変形例に係る番組項目構成表作成装置１においては、番組項目表における第１の設定可能期間Ｔ１、第２の設定可能期間Ｔ２又は第３の設定可能期間Ｔ３に選択的に項目時間が入力されるたびに、確定した第１の設定可能期間Ｔ１、第２の設定可能期間Ｔ２又は第３の設定可能期間Ｔ３のうち、該当する設定可能期間の所要時間に対する残り時間、即ち、現在入力の対象となっている設定可能期間に、これから入力することができる項目時間の許容範囲を自動的に計算し、残時間データとして画像処理回路１０５に出力して、番組項目表の所定箇所、図示の例では右上の部分の残時間表示エリアＺ２３に表示するようにしたので、現在入力の対象となっている設定可能期間内において、項目の追加／削除、項目時間の変更、項目順の入れ替えなどの編集作業が行なわれた場合でも、即座に残時間が表示されることになり、その結果、番組項目表の作成作業の作業効率が向上し、時間的余裕のない場合での項目変更等にもすばやく対応でき、非常に便利なものとなる。
【０１２２】
なお、上記変形例においては、現在入力の対象となっている設定可能期間の残時間を表示するようにしたが、その他、全ての設定可能期間における残時間を表示させるようにしてもよい。
【０１２３】
ところで、ニュース番組などの報道に関する番組は、緊急ニュースの飛び込みによって、予め設定していた番組内容の変更を余儀なくされることがある。この場合、通常は、まず、緊急ニュースの対応の仕方を決定し、決定後、その決定事項に沿って新しいニュース項目を作成し、更に、現在放送中の番組のどの項目に入れるかを決定し、その決定後、キュー・シートの変更をかけて、すべてのオペレータに指示をするという作業を行なっている。
【０１２４】
しかし、この方法では、現場での混乱が生じやすく、緊急ニュースのスムーズな送出ができない。
【０１２５】
そこで、本例においては、番組項目構成表作成装置１において番組項目表を作成する際、考えられる複数の緊急パターンを予め番組項目表の予備項目に登録しておき、緊急時に、その対応の仕方が決定した時点で、項目追加を行なうことにより、緊急時のすばやい対応が可能になるようにしたものである。
【０１２６】
以下、その具体例を図７，図１７及び図１８に基づいて説明する。まず、番組項目構成表作成装置１のハード構成については、図６で示す上記番組項目構成表作成装置１と同じであるため、その詳細説明は省略する。また、この番組項目構成表作成装置１における機能ブロックは、図７の機能ブロック図に示す構成とほぼ同じであるため、この番組項目構成表作成装置１の説明においては、上記図７で示す機能ブロック図を用いて行い、追加される機能ブロックを括弧書きにて図７上に記す。
【０１２７】
この番組項目構成表作成装置１は、図７の機能ブロック及び図１８のフローチャートに示すように、まず、ステップＳ３０１からステップＳ３０４までは、上記番組項目構成表作成装置１の処理動作におけるステップＳ１からステップＳ４と同じであり、最初に初期動作が行なわれ、その後、プログラムＲＯＭ１０１から番組項目表の作成手段である表作成プログラム１２１と、残時間を算出するための各種プログラム（累積演算プログラム１２２及び減算プログラム１２３）がそれぞれ読み出されて、動作用ＲＡＭ１０３に書き込まれる。また、このとき、プログラムＲＯＭ１０１から緊急項目読出し手段１５１である緊急項目読出しプログラムが読み出されて動作用ＲＡＭ１０３に書き込まれる。これらプログラム群の書込みと同時に、これらプログラムの動作中において生成されたデータを一時的に保存するためやプログラム間のパラメータの受渡しなどに用いられる作業領域が動作用ＲＡＭ１０３中に割り付けられる。その後、表作成プログラム１２１が起動され、初期設定画面の表示が表示手段１１０を介して行なわれる。
【０１２８】
その後、ステップＳ３０５において、緊急ニュースに対応した複数の緊急項目が、上記初期設定画面の予備項目に表示される。この処理は、例えば表作成プログラム１２１から緊急項目読出しプログラム１５１が起動されることで行なわれる。即ち、この緊急項目読出しプログラム１５１が起動されることによって、まず、データＲＯＭ１０１の所定の登録領域から複数の緊急項目に関するデータが読み出され、データＲＡＭ１０４に格納される。
【０１２９】
その後、表作成プログラム１２１がデータＲＡＭ１０４に格納された複数の緊急項目に関するデータを読み出して、該データを表示手段１１０を介してモニタ１０６に表示する。このとき、モニタ１０６上には、図１８に示すように、表示されている初期設定画面中、予備項目の表示エリアＺ３１に、複数の緊急項目が表示されることになる。図１８の例では、項目番号１から項目番号６までの項目が、緊急ニュースが無い場合のニュース番組の項目を示し、項目番号８から項目番号１０までの項目が、緊急時の対応パターンとして予め登録される項目を示す。
【０１３０】
この例での緊急項目は、例えば、項目時間が異なる３つのパターンが設定され、最も項目時間の短い緊急パターン１（アナウンサのしゃべりのみ）と、この緊急パターン１よりも比較的項目時間が長い緊急パターン２（フリップ）と、最も項目時間が長い緊急パターン３（取材班が収録した取材テープの放送）である。ここで、フリップとは、手書きでニュース内容を記録した情報板を放送用カメラで写し、更にアナウンサが緊急ニュースの内容を説明するというものである。
【０１３１】
ここで、例えば、１例として緊急パターン３の項目構成表の具体例を図３に示す。この項目構成表によれば、緊急パターン３の内訳は、最初に例えば男性アナウンサのバストショットを３０秒間送出し、続いて、現場の取材テープ（ビデオテープ）の収録内容を１分間送出するということを示している。
【０１３２】
その後、ステップＳ３０６において、入力データ待ちとなり、データが入力された時点で次のステップＳ３０７に進む。このステップＳ３０７においては、入力データに基づいて実際の番組項目表の作成が行なわれる。この作成手順については、すでに説明したので、ここでは、その詳細説明を省略する。もちろん、この場合も作成中の番組項目表における右上の残時間表示エリアＺ２３に登録できる項目時間の残時間が表示される。
【０１３３】
次に、ステップＳ３０８において、今回作成した番組項目表及び項目構成表のデータ登録（データファイル登録）要求が行なわれたかどうかの判別が行なわれる。登録要求があった場合、次のステップＳ３０９に進み、今回作成した番組項目表及び項目構成表のデータをそれぞれデータファイルとしてホスト・コンピュータ５側に転送する。一方、登録要求がない場合は、再びステップＳ３０６に戻って入力データ待ち状態となる。
【０１３４】
上記番組項目表及び項目構成表のホスト・コンピュータ５側への転送後、次のステップＳ３１０において、「終了」が選択されたかどうかの判別が行なわれる。「終了」が選択された場合は、この番組項目構成表作成装置１の処理動作が終了し、一方、「終了」が選択されない場合は、再びステップＳ３０６に戻って入力データ待ち状態となる。
【０１３５】
次に、緊急ニュースが発生した場合の処理について説明する。緊急ニュースが発生した場合においては、まず、現在オン・エア中の番組に関する番組項目表のデータファイルが番組項目構成表作成装置１に読み込まれて、モニタ１０６上に表示される。このとき、オン・エア中の番組に関する各種項目が表示されるとともに、予備項目の欄に緊急ニュースに対応した複数の緊急項目が表示される。この例では、上述したように、３つのパターン（緊急パターン１，緊急パターン２及び緊急パターン３）が表示される。
【０１３６】
これらのパターンのうち、どれを選択するかは、緊急ニュースが入ってきたときの時間的余裕度などの状況によって異なるが、「この対応でいこう。」と決定した時点で、この決定された対応に適合する緊急パターンを、例えば挿入モードで決定された項目間に挿入、あるいは変更モードで今回の決定で変更対象となった項目を今回の緊急パターンに変更する。
【０１３７】
その後、番組項目構成表作成装置１から今回追加／変更された番組項目表のデータ登録をホスト・コンピュータ５に対して行なう。ホスト・コンピュータ５は、番組項目構成表作成装置１から転送された番組項目表のデータを緊急データファイルとして外部記憶装置６に格納するとともに、すでに格納されている項目構成表に基づいてキュー・シートを編成し直して送出コンソール３に送出する。
【０１３８】
送出コンソール３のメイン・コントローラ２７は、ホスト・コンピュータ５から転送されてきたキュー・シートをモニタ２３上に表示する。このモニタ２３上に表示されるキュー・シートは、予め設定された番組を構成する項目間に今回決定された緊急パターンに関する事項が挿入された、あるいは変更された表示形態となる。
【０１３９】
このように、上記番組項目構成表作成装置１においては、番組項目構成表作成装置１において番組項目表及び項目構成表を作成する際、考えられる複数の緊急パターンを予め番組項目表の予備項目に登録するようにしたので、緊急ニュースの発生時に、その対応の仕方が決定した時点で、項目の追加／変更を行なうことが迅速に、かつ容易になり、緊急時のすばやい対応が可能になる。
【０１４０】
当然、番組項目構成表作成装置１にて変更された内容は、ホスト・コンピュータ５側に転送されてキュー・シートに反映されることになるため、全てのオペレータに、即座に変更指示がかかり、指示が徹底されることになる。
【０１４１】
このことから、緊急時になってはじめて項目をつくるという作業を行なう必要がなく、しかも緊急項目の追加／変更が迅速に行なうことができるため、緊急時における現場での混乱が排除され、緊急ニュースをスムーズに送出することが可能となる。
【０１４２】
次に、ＩＣカードに登録されたＩＤ番号に基づいてビデオテープを管理するシステム、特に、ビデオ編集装置２、被制御機器群４におけるビデオカートマシン２１及び単体のＶＴＲ２２（第１の送出用ＶＴＲ２２Ａ，第２の送出用ＶＴＲ２２Ｂ）、ホスト・コンピュータ５並びに各種リモート・コントローラの構成について図１９〜図３２を参照しながら説明する。
【０１４３】
まず、ビデオ編集装置２は、上記番組項目構成表作成装置１から持ち込まれたＩＣカード１０が、編集対象となっているビデオ編集装置２の前段に接続されているコントローラ１２の一つに挿入されると、当該コントローラ１２を通じてビデオ編集装置２に挿入・装着されているビデオカセット１１内の編集用ビデオテープの例えば先頭の映像トラック（空白）に、上記ＩＣカード１０に登録されているデータ（即ち、登録データ）中、番組名、放送日時及び項目名のデータが一覧表示データとして書き込み、更に発行されたＩＤ番号のデータが所定トラック（例えばキュートラック）に書き込むように構成されている。
【０１４４】
具体的には、上記コントローラ１２は、図１９に示すように、各種プログラムが登録されたプログラムＲＯＭ２０１と、予め設定された固定データが登録されるデータＲＯＭ２０２と、プログラムＲＯＭ２０１から読み出されたプログラムの動作用領域として使用される動作用ＲＡＭ２０３と、このコントローラ１２に供給されたデータ並びにプログラムにて作成された可変データが格納されるデータＲＡＭ２０４と、データＲＡＭ２０４に格納されたデータを画像データに変換する画像処理回路２０５と、この画像処理回路２０５からの画像データをアナログの映像信号に変換して後段のモニタ２０６に送出してモニタ画面上に画像データに基づく映像を表示させる映像出力回路２０７と、挿入・装着されたＩＣカード１０からデータを読み出すＩＣカードドライバ２０８と、これら各各種回路を制御するＣＰＵ（制御回路と演算回路）２０９とを有して構成されている。ここで、上記画像処理回路２０５、映像出力回路２０７及びモニタ２０６にて表示手段２１０が構成され、上記パラレル／シリアル変換器及びタイムコード発生器にてＩＤ番号記録手段２１９が構成される。
【０１４５】
上記各種回路は、ＣＰＵ２０９から導出されたデータバスＤＢを介して各回路間のデータの受渡しが行なわれ、更にＣＰＵ２０９から導出された制御バス（図示せず）を介してそれぞれＣＰＵ２０９にて制御されるように構成されている。
【０１４６】
ＩＣカードドライバ２０８からの読出しデータは、第１の入力ポート２１１を介してデータバスＤＢに供給されるようになっており、また、後段に接続されたビデオ編集装置２からの各種応答信号が第２の入力ポート２１２を介してデータバスＤＢに供給されるようになっている。一方、データＲＡＭ２０４に格納されたデータは、第１の出力ポート２１３を介して画像処理回路２０５に、あるいは第２の出力ポート２１４を介して後段に接続されたパラレル・シリアル変換器２１５に供給されるようになっている。このパラレル・シリアル変換器２１５は、供給されたディジタルデータをシリーズなパルス信号に変換する回路であり、該変換器にてシリアル変換されたパルス信号が後段のビデオ編集装置２内に組み込まれたタイムコード発生器２１６の外部入力端子に供給されるように配線接続されている。
【０１４７】
また、映像出力回路２０７とビデオ編集装置装置２間には、ＣＰＵ２０９からの制御信号の入力に基づいて開閉制御されるゲート回路２１７が接続されている。これは、映像出力回路２０７に供給された映像信号をモニタ２０６のほかにビデオ編集装置２にも供給するためのものであり、被編集ビデオテープの空きトラックに上記映像信号をクレジットとして録画できるようにするためのものである。また、このゲート回路２１７には、音声出力回路２１８が接続されている。この音声出力回路２１８はＣＰＵ２０９からの制御信号の入力に基づいてゲート回路２１７に例えば周波数１ｋＨｚ程度の音声信号を出力する。
【０１４８】
次に、このコントローラ１２の処理動作について図２０の機能ブロック図及び図２１のフローチャートに基づいて説明する。
【０１４９】
まず、電源ＯＮと同時に初期動作、例えば、コントローラ１２内のシステムチェックやメモリチェック等が行なわれ、次いで、プログラムＲＯＭからＩＣカードに登録されたデータを処理する手段２２１であるデータ処理プログラムと、ＩＤ番号データをタイムコード発生器２１６の外部入力端子に出力する手段であるＩＤ番号出力プログラム２２２と、頭出しパターンをビデオ編集装置側に出力する手段である頭出しパターン出力プログラム２２３が読み出されて、動作用ＲＡＭに書き込まれると同時に、これらプログラムの動作中において生成されたデータを一時的に保存するためやプログラム間のパラメータの受渡しなどに用いられる作業領域が動作用ＲＡＭ中に割り付けられる（ステップＳ４０１）。
【０１５０】
次に、ステップＳ４０２においてデータ処理プログラム２２１が起動され、ＩＣカード１０がＩＣカードドライバ２０８に挿入・装着されたかどうかの判別が行なわれる。ＩＣカードドライバ２０８にＩＣカード１０が挿入・装着された場合、次のステップＳ４０３に進み、ＩＣカードドライバ２０８に登録されているデータ群を読み出して、データＲＡＭ２０４の所定領域に格納する（ステップＳ４０３）と同時に、この読み出したデータ群を表示手段２１０を介してモニタ２０６の画面に表示する（ステップＳ４０４）。このとき、図２２に示すように、モニタ２０６上に番組名、放送日時及び項目名が表示されることから、ＩＣカード１０に登録されているデータをモニタ２０６上で簡単に確認することができる。
【０１５１】
次に、ステップＳ４０５において、ビデオ編集装置２のモードがフォーマット（初期化）モードになっているかどうかが判別される。この判別は、ビデオ編集装置２へのフォーマット操作に基づいて第２の入力ポート２１２を介して入力されるフォーマット要求信号に基づいて判別される。フォーマットモードである場合は、次のステップＳ４０６に進んで、フォーマット開始信号をビデオ編集装置２に与え、更に次のステップＳ４０７において、ＩＤ番号データの送出処理を行なう。この処理は、データ処理プログラム２２１からＩＤ番号出力プログラム２２２が起動されることにより行なわれる。
【０１５２】
即ち、該プログラム２２２の起動によって、まず、データＲＡＭ２０４の所定領域から今回格納されたＩＤ番号データが読み出され、第２の出力ポート２１４を介してＩＤ番号記録手段２１９に供給される。この該記録手段２１９のタイムコード発生器２１６に供給されたＩＤ番号データは、タイムコードのフォーマット上、ユーザーズ・ビットに割り付けられることになり、図２３に示すように、編集用ビデオテープＶＴの所定トラック、例えばビデオテープＶＴに沿って長手方向に延びる例えばキュートラックＴにタイムコードとともに書き込まれて、編集用ビデオテープＶＴのフォーマットが行なわれる。
【０１５３】
そして、次のステップＳ４０８において、編集用ビデオテープＶＴに対するフォーマットが終了したかどうかの判別が行なわれる。フォーマットが終了した場合、次のステップＳ４０９に進んで、ビデオ編集装置２に対して巻戻し要求信号を出力する。ビデオ編集装置２は、コントローラ１２からの巻戻し要求信号の入力に基づいて編集用ビデオテープＶＴの巻戻しを開始する。このとき、同時にキュートラックＴに記録されているタイムコードがビデオ編集装置２内のタイムコード読取り器（図示せず）にて読み取られ、コントローラ１２に返送される。
【０１５４】
次に、ステップＳ４１０において、現在のタイムコードが所定値であるかどうかが判別される。この判別は、ビデオ編集装置２内のタイムコード読取り器から第２の入力ポート２１２を介して入力されたタイムコードの内容に基づいて判別され、所定値として例えば00:59:00:00 が選ばれる。
【０１５５】
入力されたタイムコードが所定値になった時点で次のステップＳ４１１に進み、頭出しパターンを出力する。この処理は、データ処理プログラムから頭出しパターン出力プログラムが起動されることにより行なわれる。
【０１５６】
即ち、図２１に示すように、該プログラムの起動によって、まず、ステップＳ４１１において、データＲＯＭ２０２からカラーバーに関するデータが読み出され、第１の出力ポート２１３を介して画像処理回路２０５に供給される。このとき、ＣＰＵ２０９に対して音声出力要求信号とゲート開要求信号を出力する。ＣＰＵ２０９は、音声出力要求信号とゲート開要求信号に基づいて音声出力回路２１８（周波数１ｋＨｚ程度の音声信号を出力する回路）とゲート回路２１７にそれぞれ制御信号を出力する。
【０１５７】
これによって、映像出力回路２０７からのカラーバーに関する映像信号と音声出力回路２１８からの音声信号がゲート回路２１７を通して後段のビデオ編集装置２に供給され、図２３に示すように、編集用ビデオテープＶＴの映像トラック中、タイムコード＝00:59:00:00 のポイントを始点、00:59:45:00 のポイントを終点とする映像トラック上にカラーバーに関する映像信号が記録され、同様に、編集用ビデオテープＶＴの音声トラック中、タイムコード＝00:59:00:00 のポイントを始点、00:59:45:00 のポイントを終点とする音声トラック上に周波数１ｋＨｚ程度の音声信号が記録される。
【０１５８】
続いて、次のステップＳ４１２において、データＲＡＭ２０４からクレジットに関するデータ（モニタ２０６に表示されている画像データ）が読み出され、第１の出力ポート２１３を介して画像処理回路２０５に供給される。このとき、ＣＰＵ２０９に対してゲート開要求信号を出力する。ＣＰＵ２０９は、ゲート開要求信号に基づいてゲート回路２１７に制御信号を出力する。これによって、映像出力回路２０７からのクレジットに関する映像信号のみがゲート回路２１７を通して後段のビデオ編集装置２に供給され、図２３に示すように、編集用ビデオテープＶＴの映像トラック中、タイムコード＝00:59:45:00 のポイントを始点、00:59:58:00 のポイントを終点とする映像トラック上にクレジットに関する映像信号が記録される。この場合、音声信号は記録されない。
【０１５９】
続いて、次のステップＳ４１３において、データＲＯＭ２０２からブラックバーストに関するデータが読み出され、第１の出力ポート２１３を介して画像処理回路２０５に供給される。この場合もＣＰＵ２０９に対してゲート開要求信号が出力され、ＣＰＵ２０９はこのゲート開要求信号に基づいてゲート回路２１７に制御信号を出力する。
【０１６０】
これによって、映像出力回路２０７からのブラックバーストに関する映像信号のみがゲート回路２１７を通して後段のビデオ編集装置２に供給され、図２３に示すように、編集用ビデオテープＶＴの映像トラック中、タイムコード＝00:59:58:00 のポイントを始点、01:00:00:00 のポイントを終点とする映像トラック上にブラックバーストに関する映像信号が記録される。この場合も、音声信号は記録されない。
【０１６１】
この頭出しパターンの出力処理が終了した時点で、このコントローラ１２の処理動作が終了し、以後、編集者によるビデオ編集装置２を用いてのビデオ編集が行なわれる。このビデオ編集においては、編集用ビデオテープＶＴの映像トラック及び音声トラック中、タイムコード＝01:00:00:00 のポイント以降の各トラックに編集された映像信号及び音声信号（即ち、プログラム）が書き込まれることになる。
【０１６２】
上記ビデオ編集装置２において編集されたビデオテープが収納されたビデオカセット１１は、その後、例えばビデオ編集者によって、サブコントロールルームにある例えばビデオカートマシン２１に収納される、あるいは第１の送出用ＶＴＲ２２Ａ又は第２の送出用ＶＴＲ２２Ｂに挿入・装着される。
【０１６３】
特に、ビデオカートマシン２１は、２種類の搬送方式があり、一方の方式は、カセット挿入口が１つだけあり、この挿入口にビデオカセット１１を挿入することにより、搬送機構が上記挿入口に挿入されたビデオカセット１１を内部の複数の棚のうち、空き状態となっている棚に搬送するという方式であり、他方の方式は、複数の棚のうち、空いた棚に使用者が直接ビデオカセット１１をセットするという方式である。
【０１６４】
このシステムにおけるビデオカートマシン２１は、いずれの方式でも採用できる。そして、このビデオカートマシン２１は、その前段に接続されているリモート・コントローラ６２によって、各棚にセットされたビデオカセット１１が管理されるようになっている。
【０１６５】
ここで、上記リモート・コントローラ６２の構成について図２４〜図２８を参照しながら説明する。このリモート・コントローラ６２は、図２４に示すように、各種プログラムが登録されたプログラムＲＯＭ３０１と、予め設定された固定データが登録されるデータＲＯＭ３０２と、プログラムＲＯＭ３０１から読み出されたプログラムの動作用領域として使用される動作用ＲＡＭ３０３と、このリモート・コントローラ６２に供給されたデータ並びにプログラムにて作成された可変データが格納されるデータＲＡＭ３０４と、これら各種回路を制御するＣＰＵ（制御回路と演算回路）３０５とを有して構成されている。
【０１６６】
上記各種回路は、ＣＰＵ３０５から導出されたデータバスＤＢを介して各回路間のデータの受渡しが行なわれ、更にＣＰＵ３０５から導出された制御バス（図示せず）を介してそれぞれＣＰＵ３０５にて制御されるように構成されている。
【０１６７】
ビデオカートマシン２１からのデータは、第１の入力ポート３０６を介してデータバスＤＢに供給されるようになっており、また、ホスト・コンピュータ５及び送出コンソール３のメイン・コントローラ２７からインターフェース回路２６を通して供給されるデータは、第２の入力ポート３０７を介してデータバスＤＢに供給されるようになっている。一方、データＲＡＭ３０４に格納されたデータは、第１の出力ポート３０８を介してビデオカートマシン２１に、あるいは第２の出力ポート３０９及びインターフェース回路２６を通してホスト・コンピュータ５あるいはメイン・コントローラ２７に供給されるようになっている。
【０１６８】
次に、このリモート・コントローラ６２の処理動作について図２５の機能ブロック図及び図２６のフローチャートに基づいて説明する。
【０１６９】
まず、電源ＯＮと同時に初期動作、例えば、リモート・コントローラ内のシステムチェックやメモリチェック等が行なわれ、次いで、プログラムＲＯＭ３０１からビデオカートマシン２１の制御を行なう手段３２１であるマシン制御プログラムと、ＩＤ番号と棚番号の照合テーブルを作成する手段３２２であるテーブル作成プログラムと、ビデオカートマシン２１のビデオテープに対する再生動作に伴って入力される所定トラックの再生データからＩＤ番号を検出する手段３２３であるＩＤ番号検出プログラムと、入力されたＩＤ番号データに基づいてデータＲＡＭ３０４に登録された照合テーブルから棚番号を検出する手段３２４である棚番号検出プログラムと、ビデオテープの頭出しを行なう手段３２５である頭出し用プログラムと、ＩＤ番号の照会を行なう手段３２６である照会処理プログラムが読み出されて、動作用ＲＡＭ３０３に書き込まれると同時に、これらプログラムの動作中において生成されたデータを一時的に保存するためやプログラム間のパラメータの受渡しなどに用いられる作業領域が動作用ＲＡＭ３０３中に割り付けられる（ステップＳ５０１）。
【０１７０】
次に、ステップＳ５０２においてマシン制御プログラム３２１が起動され、ビデオカートマシン２１にビデオカセット１１が空いた棚にセットされたかどうかの判別が行なわれる。この判別は、新たにビデオカセット１１が空いた棚にセットされることによってビデオカートマシン２１にて発生するセット信号の入力に基づいて行なわれる。新たなビデオカセット１１がセットされた場合、次のステップＳ５０３に進んで、ビデオカセット１１の再生装置への装着要求を出力する。
【０１７１】
即ち、カートマシン２１の搬送機構及びローディング機構に対してカセット搬送要求信号及びカセット装着要求信号を出力する。搬送機構は、リモート・コントローラからのカセット搬送要求信号の入力に基づいて、新たにセットされたビデオカセットをカートマシン内の再生装置（ＶＴＲ）の挿入口まで搬送し、搬送終了を示す信号をリモート・コントローラに返送する。ローディング機構は、リモート・コントローラからのカセット装着要求信号の入力に基づいて、ビデオカセットを再生装置の挿入口から挿入し、再生装置内に装着する。その後、ローディング機構は、装着完了を示す信号をリモート・コントローラ６２に返送する。
【０１７２】
次に、ステップＳ５０４において、リモート・コントローラ６２は、上記ローディング機構からの装着完了を示す信号の入力に基づいて、再生装置に対して再生要求信号を出力する。再生装置は、リモート・コントローラ６２からの再生要求信号の入力に基づいて、ビデオカセットに収納されている編集済みビデオテープに対して情報信号の再生を行なう。再生データ中、ＩＤ番号データが書き込まれているトラック（この例では、キュートラック）からの再生データは棚番号に関するデータとともにリモート・コントローラ６２に送出される。
【０１７３】
次に、ステップＳ５０５において、再生装置から送られてきた再生データにＩＤ番号データがあるかどうかの判別が行なわれる。この判別処理は、マシン制御プログラム３２１からＩＤ番号検出プログラム３２３を起動することにより行なわれる。
【０１７４】
即ち、該プログラム３２３の起動によって、まず、第１の入力ポート３０６を介して供給される再生データを取り込み、この取り込んだ再生データのうち、タイムコードのユーザーズ・ビットに書き込まれているデータを検出し、この検出したデータが無効か有効かで判別される。すべて「０」であれば無効と処理される。有効であれば、次のステップＳ５０６に進んでＩＤ番号の照会を行なう。この処理は、マシン制御プログラム３２１から照会処理プログラム３２６を起動することにより行なわれる。即ち、該プログラムの起動によって、上記ユーザーズ・ビットから取り出されたＩＤ番号データをホスト・コンピュータ５に第２の出力ポート３０９を介して通知する。
【０１７５】
ホスト・コンピュータ５は、通知されたＩＤ番号データが今回のキュー・シートに登録されているかを照会し、その照会結果を返送する。また、ホスト・コンピュータ５は、照会結果が「登録あり」の場合、キュー・シートに関するデータ、特に、バックグラウンドとして「ＶＴＲ」を指定している項目のうち、照会要求のあったＩＤ番号に対応する項目の「ＶＴＲ」の文字データをＩＤ番号に対応したＶＴＲ番号の文字データに書き換える。この書き換えられたキュー・シートの例を図４に示す。この図４で示す例では、項目番号４及び５における各２枠目のバックグラウンドの枠表示が「ＶＴＲ］からそれぞれ「Ｅ１」及び「Ｅ２」に書き換えられた状態を示す。
【０１７６】
そして、次のステップＳ５０７において、ホスト・コンピュータ５から返送されてきた照会結果が「登録あり」を示すものかどうかが判別される。照会結果が「登録あり」の場合、次のステップＳ５０８に進み、今回のＩＤ番号データをデータＲＡＭ３０４の所定領域に格納する。
【０１７７】
一方、照会結果が「登録なし」の場合、及び上記ステップＳ５０５においてＩＤ番号データが無効と判別された場合は、ステップＳ５０９に進む。ＩＤ番号データが無効となる例としては、例えば、ビデオ編集が行なわれていないビデオテープが収納されたビデオカセット１１がビデオカートマシン２１にセットされた場合である。この場合は、ステップＳ５０９において、リモート・コントローラから搬送機構に対して搬出要求信号を出力する。搬送機構は、リモート・コントローラ６２からの搬出要求信号の入力に基づいて、セットされた棚から今回のビデオカセット１１を取り出し、更にオン・エア用のビデオカセット１１がセットされない予備の棚に搬送してオペレータにＩＤ番号が付与されていないビデオカセット１１がセットされたことを知らせる。オペレータは、この予備の棚に搬送されたビデオカセット１１を取り出して、例えば単体の第１又は第２の送出用ＶＴＲ２２Ａ又は２２Ｂに装着することになる。
【０１７８】
次に、ステップＳ５１０において、リモート・コントローラ６２は、カートマシン２１のローディング機構及び搬送機構に対してビデオカセット１１を元の棚に戻すための要求信号（カセット抜き出し要求信号及びカセット搬送要求信号）を出力する。ローディング機構は、リモート・コントローラ６２からのカセット抜き出し要求信号の入力に基づいて、ビデオカセット１１を再生装置から抜き出し、抜き出し完了を示す信号をリモート・コントローラ６２に返送する。搬送機構は、リモート・コントローラ６２からのカセット搬送要求信号の入力に基づいて、抜き出されたビデオカセット１１を元の棚まで搬送し、該棚にセットする。その後、搬送機構は、セット完了を示す信号をリモート・コントローラ６２に返送する。
【０１７９】
次に、ステップＳ５１１において、リモート・コントローラ６２は、上記搬送機構からのセット完了を示す信号の入力に基づいて、照合テーブルの作成処理を行なう。この照合テーブルは、ＩＤ番号と棚番号とが一対一対応となるような配列を有するテーブル構成となっている。このテーブル作成処理は、マシン制御プログラム３２１からテーブル作成プログラム３２２が起動されることにより行なわれる。即ち、該プログラムの起動によって、今回データＲＡＭ３０４に登録されたＩＤ番号データと棚番号データを読み出して、データＲＡＭ３０４の所定領域に作成されている照合テーブルの空いた領域に今回のＩＤ番号データと棚番号データを一対一対応の関係となるように格納する。
【０１８０】
次に、ステップＳ５１２において、オン・エア３分前かどうかの判別が行なわれる。この判別は、ホスト・コンピュータ５からのカートマシン２１にセットされたビデオテープのデータ送出（オン・エア）まで３分であることを示す指示信号と対象ビデオテープのＩＤ番号データが入力されたかどうかによって行なわれる。
【０１８１】
上記指示信号と対象ビデオテープのＩＤ番号データが入力された場合、次のステップＳ５１３に進み、入力されたＩＤ番号データに対応する棚番号を照合テーブルから検索する。この処理は、マシン制御プログラム３２１から棚番号検出プログラム３２４を起動することにより行なわれる。即ち、該プログラム３２４の起動によって、まず、ホスト・コンピュータ５から供給されたＩＤ番号データに基づいて、データＲＡＭ３０４内に登録されている照合テーブルから棚番号データを検索する。
【０１８２】
その後、ステップＳ５１４において、検索した棚番号データをビデオカートマシン２１の搬送機構に対して搬送要求信号と棚番号データを出力し、更にローディング機構に対してカセット装着要求信号を出力する。搬送機構は、供給された棚番号データに対応する棚から該当ビデオカセットを取り出して再生装置まで搬送し、搬送終了を示す信号をリモート・コントローラ６２に返送する。ローディング機構は、リモート・コントローラ６２からのカセット装着要求信号の入力に基づいて、ビデオカセット１１を再生装置の挿入口から挿入し、再生装置内に装着する。その後、ローディング機構は、装着完了を示す信号をリモート・コントローラ６２に返送する。
【０１８３】
次に、ステップＳ５１５において、リモート・コントローラ６２は、上記ローディング機構からの装着完了を示す信号の入力に基づいて、再生装置に対して巻戻し要求信号を出力する。再生装置は、リモート・コントローラ６２からの巻戻し要求信号の入力に基づいてビデオカセット１１内のビデオテープの巻戻しを開始する。このとき、同時にキュートラックに記録されているタイムコードが再生装置のタイムコード読取り器にて読み取られ、リモート・コントローラ６２に供給される。
【０１８４】
次に、ステップＳ５１６において、現在のタイムコードが所定値であるかどうかが判別される。この判別は、マシン制御プログラム３２１から頭出し処理プログラム３２５を起動することによって行なわれる。即ち、該プログラムの起動によって、まず、第１の入力ポート３０６を介して順次入力されるタイムコードの内容を読み出し、この内容が所定値、例えば01:00:00:00 となった時点（図２３で示すプログラムが記録されている先頭の部分）で、次のステップＳ５１７に進み、再生装置に対して停止要求信号を出力する。再生装置は、リモート・コントローラ６２からの停止信号の入力に基づいてビデオテープに対する巻戻し動作を停止する。この時点で、オン・エアの対象となっているビデオテープの頭出しが完了する。
【０１８５】
その後、ステップＳ５１８において、ビデオテープの変更要求があるかどうかの判別が行なわれる。この変更要求は、番組を構成する項目に変更が生じた場合などにおいて行なわれるもので、番組項目構成表作成装置１での項目変更に応じて、ホスト・コンピュータ５による変更データファイルの送出コンソールへの転送と同時に、変更要求信号がリモート・コントローラ６２に供給されることによって行なわれる。
【０１８６】
このステップＳ５１８において、変更要求があったと判別された場合、次のステップＳ５１９に進んで、変更処理サブルーチンに入る。
【０１８７】
変更処理サブルーチンは、図２８に示すように、まず、ステップＳ５２０において、カートマシン２１のローディング機構及び搬送機構に対して現在再生装置に装着されているビデオカセット１１を元の棚に戻すための要求信号（カセット抜き出し要求信号及びカセット搬送要求信号）を出力する。ローディング機構は、リモート・コントローラ６２からのカセット抜き出し要求信号の入力に基づいて、ビデオカセット１１を再生装置から抜き出し、抜き出し完了を示す信号をリモート・コントローラ６２に返送する。搬送機構は、リモート・コントローラ６２からのカセット搬送要求信号の入力に基づいて、抜き出されたビデオカセット１１を元の棚まで搬送し、該棚にセットする。その後、搬送機構は、セット完了を示す信号をリモート・コントローラ６２に返送する。
【０１８８】
次に、ステップＳ５２１において、搬送機構及びローディング機構に対してカセット搬送要求信号及びカセット装着要求信号を出力する。搬送機構は、リモート・コントローラからのカセット搬送要求信号の入力に基づいて、新たにセットされたビデオカセット１１をカートマシン２１内の再生装置の挿入口まで搬送し、搬送終了を示す信号をリモート・コントローラ６２に返送する。ローディング機構は、リモート・コントローラ６２からのカセット装着要求信号の入力に基づいて、ビデオカセット１１を再生装置の挿入口から挿入し、再生装置内に装着する。その後、ローディング機構は、装着完了を示す信号をリモート・コントローラ６２に返送する。
【０１８９】
次に、ステップＳ５２２において、リモート・コントローラ６２は、上記ローディング機構からの装着完了を示す信号の入力に基づいて、再生装置に対して再生要求信号を出力する。再生装置は、リモート・コントローラ６２からの再生要求信号の入力に基づいて、ビデオカセット１１に収納されている編集済みビデオテープに対して情報信号の再生を行なう。再生データ中、ＩＤ番号データが書き込まれているトラック（この例では、キュートラック）からの再生データは棚番号に関するデータとともにリモート・コントローラ６２に送出される。
【０１９０】
次に、ステップＳ５２３において、ＩＤ番号の照会を行なう。この処理は、上述したように、マシン制御プログラム３２１から照会処理プログラムを起動することにより行なわれる。即ち、該プログラムの起動によって、上記ユーザーズ・ビットから取り出されたＩＤ番号データをホスト・コンピュータに出力ポートを介して通知する。ホスト・コンピュータ５２３は、キュー・シートに関するデータ、特に、バックグラウンドとして「ＶＴＲ」を指定している項目のうち、照会要求のあったＩＤ番号に対応する項目の「ＶＴＲ」の文字データをＩＤ番号に対応したＶＴＲ番号の文字データに書き換える。
【０１９１】
次に、ステップＳ５２４において、リモート・コントローラ６２は、再生装置に対して巻戻し要求信号を出力する。再生装置は、リモート・コントローラ６２からの巻戻し要求信号の入力に基づいてビデオカセット１１内のビデオテープの巻戻しを開始する。このとき、同時にキュートラックに記録されているタイムコードが再生装置のタイムコード読取り器にて読み取られ、リモート・コントローラ６２に供給される。
【０１９２】
次に、ステップＳ５２５において、現在のタイムコードが所定値であるかどうかが判別される。この判別は、マシン制御プログラム３２１から頭出し処理プログラム３２５を起動することによって行なわれる。即ち、該プログラム３２５の起動によって、まず、第１の入力ポート３０６を介して順次入力されるタイムコードの内容を読み出し、この内容が所定値、例えば01:00:00:00 となった時点（図２３で示すプログラムが記録されている先頭の部分）で、次のステップＳ５２６に進み、再生装置に対して停止要求信号を出力する。再生装置は、リモート・コントローラ６２からの停止信号の入力に基づいてビデオテープに対する巻戻し動作を停止する。この時点で、オン・エアの対象となっているビデオテープの頭出しが完了する。
【０１９３】
その後、図２６のルーチンに戻り、次のステップＳ５２７において、リモート・コントローラ６２は、上記ビデオテープ（又は変更に係るビデオテープ）の頭出しが完了したことを示す信号（頭出し完了信号）を第２の出力ポート３０９を介して送出コンソール３のメイン・コントローラ２７に出力する。この頭出し完了信号の入力に基づくメイン・コントローラ２７の処理動作については後述する。
【０１９４】
次に、ステップＳ５２８において、オン・エア指示待ちとなる。ここで、オン・エア指示は、該当するビデオテープの映像を送出する時刻になったときに、オペレータが操作スイッチ４１を操作することによって発生するトリガーパルスがメイン・コントローラ２７に入力されることに基づいて、該メインコントローラ２７から制御信号が当該リモート・コントローラ６２に供給することによって行なわれる。
【０１９５】
このステップＳ５２８において、オン・エア指示があったと判別された場合は、次のステップＳ５２９に進み、再生装置に対して再生要求信号を出力する。再生装置は、リモート・コントローラ６２からの再生要求信号の入力に基づいて、ビデオカセット１１に収納されている頭出し済みのビデオテープに対して情報信号の再生を行なって、該再生データを送出コンソール３にて別に選択されたＶＴＲスイッチャ３８を介して送出する。
【０１９６】
次に、ステップＳ５３０において、送出終了指示があったかどうかの判別が行なわれる。この送出終了指示も、上記オン・エア指示と同様に、該当するビデオテープの映像の送出を終了させる時刻になったときに、オペレータが操作スイッチ４１を操作することによって行なわれる。
【０１９７】
このステップＳ５３０において、送出終了指示があったと判別された場合は、次のステップＳ５３１に進み、この番組の放送がすべて終了したかどうかが判別される。番組の放送が終了した場合は、このリモート・コントローラ６２の処理動作が終了する。一方、番組が終了していない場合は、現在、番組放送が進行して、項目が順次に消化されている期間であり、次の項目におけるビデオテープの映像送出を待機するために、上記ステップＳ５１２に戻って、該ステップＳ５１２以降の処理を行なう。
【０１９８】
他方、このステップＳ５１２において、オン・エア３分前の指示信号がまだ入力されていない場合は、上記ステップＳ５０２まで戻り、カートマシン２１への次の新たなビデオカセット１１のセットを待つ。
【０１９９】
次に、単体の送出用ＶＴＲ２２（第１又は第２の送出用ＶＴＲ２２Ａ又は２２Ｂ）にビデオカセット１１が装着された場合について説明する。ここで、代表的に第１の送出用ＶＴＲ２２Ａを対象として該ＶＴＲ２２Ａとその前段に接続されたリモート・コントローラ６３の構成について図２９〜図３３を参照しながら説明する。
【０２００】
まず、ＶＴＲ２２Ａは、図２に示すように、ビデオカセット１１が装着されるＶＴＲ本体７１と、このＶＴＲ本体７１の上部に設置され、かつ装着されたビデオカセット１１に収納されているビデオテープが使用される番組項目名が選択的にカラー表示される表示パネル７２とから構成されている。ＶＴＲ本体７１と表示パネル７２はそれぞれ個別のバスにてリモート・コントローラ６３に接続されている。また、表示パネル７２は、その前面にシフトキー７３，決定キー７４等が配置されている。
【０２０１】
一方、リモート・コントローラ６３は、図３０に示すように、各種プログラムが登録されたプログラムＲＯＭ４０１と、予め設定された固定データが登録されるデータＲＯＭ４０２と、プログラムＲＯＭ４０１から読み出されたプログラムの動作用領域として使用される動作用ＲＡＭ４０３と、このリモート・コントローラ６３に供給されたデータ並びにプログラムにて作成された可変データが格納されるデータＲＡＭ４０４と、これら各種回路を制御するＣＰＵ（制御回路と演算回路）４０５とを有して構成されている。
【０２０２】
上記各種回路は、ＣＰＵ４０５から導出されたデータバスＤＢを介して各回路間のデータの受渡しが行なわれ、更にＣＰＵ４０５から導出された制御バス（図示せず）を介してそれぞれＣＰＵ４０５にて制御されるように構成されている。
【０２０３】
表示パネル７２及びＶＴＲ本体からのデータは、それぞれ第１及び第２の入力ポート４０６及び４０７を介してデータバスＤＢに供給されるようになっており、また、ホスト・コンピュータ５及び送出コンソール３のメイン・コントローラ２７からインターフェース回路２６を通して供給されるデータは、第３の入力ポート４０８を介してデータバスＤＢに供給されるようになっている。一方、各プログラムにて生成されたデータ及びデータＲＡＭ４０２に格納されたデータは、第１及び第２の出力ポート４０９及び４１０を介して表示パネル７２に、あるいは第３の出力ポート４１１及びインターフェース回路２６を通してホスト・コンピュータ５又はメイン・コントローラ２７に供給されるようになっている。
【０２０４】
次に、このリモート・コントローラ６３の処理動作について図３１の機能ブロック図及び図３２のフローチャートに基づいて説明する。
【０２０５】
まず、電源ＯＮと同時に初期動作、例えば、リモート・コントローラ内のシステムチェックやメモリチェック等が行なわれ、次いで、プログラムＲＯＭからＶＴＲの制御を行なう手段４２１であるＶＴＲ制御プログラムと、ＩＤ番号の照会を行なう手段４２２である照会処理プログラムと、ＶＴＲ本体７１のビデオテープに対する再生動作に伴って入力される所定トラックの再生データからＩＤ番号を検出する手段４２３であるＩＤ番号検出プログラムと、表示パネル７２への表示色を選定する手段４２４である表示色選定プログラムと、ビデオテープの頭出しを行なう手段４２５である頭出し処理プログラムと、表示パネル７２の各種キーに応じた処理を行なう手段４２６であるキー種別処理プログラムと、ＩＤ番号が記録されていないビデオテープの照会処理を行なう手段４２７である未照会処理プログラムが読み出されて、動作用ＲＡＭ４０３に書き込まれると同時に、これらプログラムの動作中において生成されたデータを一時的に保存するためやプログラム間のパラメータの受渡しなどに用いられる作業領域が動作用ＲＡＭ４０３中に割り付けられる（ステップＳ１）。
【０２０６】
次に、ステップＳ６０２においてＶＴＲ制御プログラムが起動され、ＶＴＲ本体にビデオカセットが装着されたかどうかの判別が行なわれる。この判別は、ＶＴＲ本体７１にビデオカセット１１が装着されることによってＶＴＲ本体７１にて発生する装着完了信号の入力に基づいて行なわれる。
【０２０７】
次に、ステップＳ６０３において、ＶＴＲ本体７１に対して再生要求信号を出力する。ＶＴＲ本体７１は、リモート・コントローラ６３からの再生要求信号の入力に基づいて、ビデオカセット１１に収納されている編集済みビデオテープに対して情報信号の再生を行なう。再生データ中、ＩＤ番号データが書き込まれているトラック（この例では、キュートラック）からの再生データは、リモート・コントローラ６３に送出される。
【０２０８】
次に、ステップＳ６０４において、ＶＴＲ本体７１から送られてきた再生データにＩＤ番号データがあるかどうかの判別が行なわれる。この判別処理は、ＶＴＲ制御プログラム４２１からＩＤ番号検出プログラム４２３を起動することにより行なわれる。即ち、該プログラム４２３の起動によって、まず、第２の入力ポート４０７を介して供給される再生データを取り込み、この取り込んだ再生データのうち、タイムコードのユーザーズ・ビットに書き込まれているデータを検出し、この検出したデータが無効か有効かで判別される。すべて「０」であれば無効と処理される。有効であれば、次のステップＳ６０５に進んでＩＤ番号の照会を行なう。
【０２０９】
この処理は、ＶＴＲ制御プログラム４２１から照会処理プログラム４２２を起動することにより行なわれる。即ち、該プログラム４２２の起動によって、上記ユーザーズ・ビットから取り出されたＩＤ番号データをホスト・コンピュータ５に第３の出力ポート４１１を介して通知する。ホスト・コンピュータ５は、通知されたＩＤ番号データが今回のキュー・シートに登録されているかを照会し、その照会結果を項目名データとともに返送する。また、ホスト・コンピュータ５は、照会結果が「登録あり」の場合、キュー・シートに関するデータ、特に、バックグラウンドとして「ＶＴＲ」を指定している項目のうち、照会要求のあったＩＤ番号に対応する項目の「ＶＴＲ」の文字データをＩＤ番号に対応したＶＴＲ番号の文字データに書き換える。
【０２１０】
そして、次のステップＳ６０６において、ホスト・コンピュータ５から返送されてきた照会結果が「登録あり」を示すものかどうかが判別される。照会結果が「登録あり」の場合、次のステップＳ６０７に進み、今回のＩＤ番号データ及び返送されてきた項目名データをデータＲＡＭ４０４の所定領域に格納する。
【０２１１】
一方、照会結果が「登録なし」の場合、即ち、例えばキュー・シートから該当項目が削除された場合は、ステップＳ６０８に進み、表示パネルに“該当項目なし”の表示を行なう。この後の操作は、手動操作になり、手動での送出、取り出しなどの操作ができる。
【０２１２】
他方、上記ステップＳ６０７において、ＩＤ番号データ及び項目名データのデータＲＡＭ４０４への格納が終了した後、次のステップＳ６０９に進み、項目名データを選定した色データとともに表示パネル７２に出力する。この処理は、ＶＴＲ制御プログラム４２１から表示色選定プログラム４２４を起動することにより行なわれる。即ち、該プログラム４２４は、上記「登録あり」の情報に基づいて、データＲＡＭ４０４から項目名データを読み出し、更にデータＲＯＭ４０２から第１の表示色、例えばアンバー（琥珀色）のデータを読み出して、これらデータを第１の出力ポート４０９を介して表示パネル７２に出力する。
【０２１３】
表示パネル７２は、入力された項目名データを前面に設置されたディスプレイ装置に表示するとともに、入力された表示色データに対応する色表示をおこなう。即ち、ディスプレイ装置には、アンバー色で項目名が表示されることになる。
【０２１４】
次に、ステップＳ６１０において、リモート・コントローラ６３は、ＶＴＲ本体７１に対して巻戻し要求信号を出力する。ＶＴＲ本体７１は、リモート・コントローラ６３からの巻戻し要求信号の入力に基づいてビデオカセット１１内のビデオテープの巻戻しを開始する。このとき、同時にキュートラックに記録されているタイムコードがＶＴＲ本体７１のタイムコード読取り器にて読み取られ、リモート・コントローラ６３に供給される。
【０２１５】
次に、ステップＳ６１１において、現在のタイムコードが所定値であるかどうかが判別される。この判別は、ＶＴＲ制御プログラム４２１から頭出し処理プログラム４２５を起動することによって行なわれる。即ち、該プログラム４２５の起動によって、まず、第２の入力ポート４０７を介して順次入力されるタイムコードの内容を読み出し、この内容が所定値、例えば01:00:00:00 となった時点（図２３で示すプログラムが記録されている先頭の部分）で、次のステップＳ６１２に進み、ＶＴＲ本体７１に対して停止要求信号を出力する。ＶＴＲ本体７１は、リモート・コントローラ６３からの停止信号の入力に基づいてビデオテープに対する巻戻し動作を停止する。この時点で、オン・エアの対象となっているビデオテープの頭出しが完了する。
【０２１６】
一方、上記ステップＳ６０４において、ＩＤ番号データが無効、即ち、装着されているビデオカセット１１内のビデオテープは放送用の編集が施されていないと判別された場合は、ステップＳ６１３に進み、未照会処理サブルーチンに入る。この場合としては、例えば緊急ニュースが発生して現場から持ち込まれた取材テープが直接ＶＴＲ本体７１に装着された場合などである。
【０２１７】
この未照会処理サブルーチンは、図３３に示すように、まず、最初のステップＳ６１４において、ホスト・コンピュータ５に対し未照会項目の確認を行なう。この処理は、ＶＴＲ制御プログラム４２１から未照会処理プログラム４２７を起動することにより行なわれる。即ち、該プログラム４２７の起動によって、まず、ホスト・コンピュータ５に対して確認信号を出力する。ホスト・コンピュータ５は、リモート・コントローラ６３から入力された確認信号に基づいて、キュー・シートに登録されている項目から、まだＩＤ番号の照会を行なっていない項目を番組進行順に検索する。検索の結果、未照会の項目がある場合、検索結果とこの検索によって抽出された項目名データを返送する。未照会の項目がない場合は、検索結果のみ返送する。
【０２１８】
次に、ステップＳ６１５において、未照会項目があるかどうかが判別される。この判別は、ホスト・コンピュータ５から返送されてきた検索結果を判別することによって行なわれる。検索結果が「項目あり」の場合、次のステップＳ６１６に進み、検索結果とともに返送されてきた未照会の項目名データを選定した色データとともに表示パネル７２に出力する。この処理は、ＶＴＲ制御プログラム４２１から表示色選定プログラム４２４を起動することにより行なわれる。即ち、該プログラム４２４は、上記「ＩＤ番号無効」の情報に基づいて、データＲＯＭ４０２から第２の表示色、例えば緑色のデータを読み出して、上記未照会の項目名データとともに表示パネル７２に出力する。
【０２１９】
表示パネル７２は、入力された未照会の項目名データを前面に設置されたディスプレイ装置に表示するとともに、入力された表示色データに対応する色表示をおこなう。即ち、ディスプレイ装置には、緑色で項目名が表示されることになる。
【０２２０】
次に、ステップＳ６１７において、「決定」キーあるいは「シフト」キーが操作されたかどうかの判別が行なわれる。この判別は、オペレータが表示パネル７２にある「決定」キー７４又は「シフト」キー７３を操作することによって、そのキー操作に応じた入力信号がリモート・コントローラ６３に供給されることによって判別される。
【０２２１】
いずれかのキーを操作された場合は、次のステップＳ６１８に進んで、操作されたキーに応じた処理が行なわれる。この処理は、ＶＴＲ制御プログラム４２１からキー種別処理プログラム４２６を起動することにより行なわれる。即ち、該プログラム４２６の起動によって、まず操作されたキーが「決定」キー７４かどうかが判別される。「決定」キー７４である場合は、次のステップＳ６１９に進み、ホスト・コンピュータ５に対して通知を行なう。ホスト・コンピュータ５は、疑似的にＩＤ番号の登録があったとして、キュー・シートに関するデータ、特に、バックグラウンドとして「ＶＴＲ」を指定している項目のうち、通知のあった項目の「ＶＴＲ」の文字データを対象のＶＴＲ番号の文字データに書き換える。そして、リモート・コントローラ５３に対して書換え完了を示す信号を返送する。
【０２２２】
次に、ステップＳ６２０において、ホスト・コンピュータからの書換え完了を示す信号の返送を待ち、返送があった場合、次のステップＳ６２１に進み、選定した色データを表示パネル７２に出力する。この処理は、ＶＴＲ制御プログラム４２１から表示色選定プログラム４２４を起動することにより行なわれる。即ち、該プログラム４２４は、上記ホスト・コンピュータ５からの返送に基づいて、データＲＯＭ４０２から第１の表示色、例えばアンバー（琥珀色）のデータを読み出して、表示パネル７２に出力する。
【０２２３】
表示パネル７２は、入力された表示色データに対応する色表示を行なう。即ち、ディスプレイ装置において緑色に表示されていた項目名が、アンバー色で表示されることになる。
【０２２４】
この未照会の項目に関しては、ビデオ編集が行なわれていないことから、頭出し処理プログラム４２５による頭出しを行なうことができない。従って、この場合、オペレータが直接手動で頭出しを行なうことになる。
【０２２５】
一方、上記ステップＳ６１８において、「決定」キー７４ではなく「シフト」キー７３であることが判別された場合はステップＳ６２２に進み、次の未照会項目を表示し、その後、ステップＳ６１８に戻り、「決定」キー７４が操作されるまでステップＳ６２２の処理を繰り返す。
【０２２６】
他方、上記ステップＳ６１５において、検索結果が「項目なし」の場合は、強制的にオペレータがＶＴＲ本体７１に対して再生操作を行い、手動での映像送出を行ない強制終了となる。
【０２２７】
次に、図３２のルーチンに戻り、上記ステップＳ６１２又は図３３のステップＳ６２２において、ビデオテープに対する頭出しが終了した場合は、次のステップＳ６２４に進み、オン・エア指示があったかどうかが判別される。ここで、オン・エア指示は、上述したように、該当するビデオテープの映像を送出する時刻になったときに、オペレータが操作スイッチ４１を操作することによって発生するトリガーパルスがメイン・コントローラ２７に入力されることに基づいて、該メイン・コントローラ２７から制御信号が当該リモート・コントローラ６３に供給することによって行なわれる。
【０２２８】
このステップＳ６２４において、オン・エア指示があったと判別された場合は、次のステップＳ６２５に進み、再生装置に対して再生要求信号を出力する。再生装置は、リモート・コントローラ６３からの再生要求信号の入力に基づいて、ビデオカセット１１に収納されている頭出し済みのビデオテープに対して情報信号の再生を行なって、該再生データを送出コンソール３にて別に選択されたＶＴＲスイッチャ３８を介して送出する。
【０２２９】
次に、ステップＳ６２６において、送出終了指示があったかどうかの判別が行なわれる。この送出終了指示も、上記オン・エア指示と同様に、該当するビデオテープの映像の送出を終了させる時刻になったときに、オペレータが操作スイッチ４１を操作することによって行なわれる。
【０２３０】
このステップＳ６２６において、送出終了指示があったと判別された場合は、次のステップＳ６２７に進み、ＶＴＲ本体７１に対して停止要求信号を出力する。ＶＴＲ本体７１は、リモート・コントローラ６３からの停止要求信号の入力に基づいて、ビデオテープの再生動作を停止し、このリモート・コントローラ６３及び送出用ＶＴＲ２２での処理が終了する。
【０２３１】
このように、ＩＣカードに登録されたＩＤ番号に基づいてビデオテープを管理するシステムにおいては、ビデオ編集装置２にて編集されたビデオテープが収納されたビデオカセット１１をビデオカートマシン２１や単体の第１又は第２の送出用ＶＴＲ２２Ａ又は２２Ｂに装着することにより、ビデオカートマシン２１とそのリモート・コントローラ６２若しくはホスト・コンピュータ５、あるいは送出用ＶＴＲ２２Ａ及び２２Ｂとリモート・コントローラ６３及び６４若しくはホスト・コンピュータ５とのデータのやりとりが行なわれ、カートマシン２１の場合は、その中に収納されている再生装置に一度ビデオカセット１１を装着した後、ビデオテープを再生して、ビデオテープの所定トラックに記録されているＩＤ番号を読み、予め作成されたキュー・シートを参照してＩＤ番号の照会を行い、何番目に送出されるべきビデオテープであるかが特定される。
【０２３２】
一方、単体の送出用ＶＴＲ２２の場合は、ＩＤ番号の照会を行なった結果として、ＶＴＲ本体７１に併設された表示パネル７２に項目名が色分け表示される。
【０２３３】
また、このとき、所定トラックに記録されているタイムコードに基づいて、ビデオテープの頭出しを行い、カートマシン２１又は送出用ＶＴＲ２２をスタンバイさせる。こうして送出するＶＴＲが特定されると、そのＶＴＲ番号がキュー・シート上に反映されることになる。
【０２３４】
更に、ここで、送出順番を変更する指示が送られてきた場合は、カートマシン２１においては、自動的にビデオカセット１１の入れ替えを行い、自動送出を実行するとともに、キュー・シート上にＶＴＲ番号の書き換えを行なう。
【０２３５】
ところで、実際のニュース送出では、時間の関係によって取材テープの編集を行なわずに送出したり、他の部門で編集したビデオテープの映像を送出することが行なわれる。この場合は、ビデオテープ上にＩＤ番号が記録されないため、ＩＤ番号照会による自動送出ができなくなる。
【０２３６】
しかし、上記システムにおいては、上記のようにＩＤ番号が記録されていないビデオテープが収納されたビデオカセット１１を単体の送出用ＶＴＲ２２に装着することにより、自動送出が可能となる。即ち、リモート・コントローラ６３又は６４は、送出用ＶＴＲ２２にビデオカセット１１が装着されたことを検知して、ビデオテープ上に記録されたＩＤ番号を読みにいく。ところが、ビデオテープには、ＩＤ番号が記録されていないため、ＩＤ番号を読めず、頭出しもできない。
【０２３７】
そこで、上記システムにおいては、予め作成したキュー・シートを参照し、ＩＤ番号がまだ照会されていない項目をチェックする。そして、このチェックによって検索された未照会項目の項目名を送出ＶＴＲの表示パネルに色分け表示して、「どの項目で送出するビデオテープであるのか？」の選択をオペレータに促す。順次表示された項目名の中から、オペレータがテープの映像を送出する項目を選択すると、ホスト・コンピュータ５は、送出用ＶＴＲに装着されたビデオカセット１１のビデオテープを、選択された項目のビデオテープとして認識し、そのＶＴＲ番号をキュー・シートに反映する。
【０２３８】
オペレータは、その後、ビデオテープの頭出しを手動で行なっておくだけで、オン・エア時に送出が実行される。
【０２３９】
このように、上記システムにおいては、どのＶＴＲ又はカートマシンのどの棚にビデオカセット１１を入れるか、といったことは全く気にすることなく、スケジュールされた通りに確実な送出が行えるとともに、急な送出順番の変更も自動的に行なうため、すばやい対応が保証される。また、ＩＤ番号が記録されていないビデオテープについても、簡単な操作で項目を決定し、頭出しするだけで、あたかもこのビデオテープにＩＤ番号が書き込まれた編集済みのビデオテープであるかのごとく、その自動送出が可能となる。
【０２４０】
また、ビデオ編集時にＩＤ番号がビデオテープの所定トラックに記録され、このＩＤ番号の照会によって送出順番を自動的に決定するようにしているため、ビデオテープ又は該ビデオテープを収納したビデオカセット１１に識別のためのバーコード・ラベル等を貼付する必要がなくなり、オペレータの送出作業を簡略化させることができる。
【０２４１】
なお、上記例においては、ビデオテープにＩＤ番号データを記録するための記録媒体としてＩＣカード１０を用いたが、その他フロッピー・ディスクや光磁気ディスクその他の記録媒体を用いたり、オンライン化したりすることができる。
【０２４２】
また、ＩＤ番号を記録する対象素材として、ビデオテープを例にとって説明したが、その他光磁気ディスク等の書込み可能な光ディスクでもよい。
【０２４３】
次に、送出コンソール３の具体的構成、特にキュー・シートの表示形態を主体とした具体的構成についてホスト・コンピュータ５の動作と併せて図３４〜図４４を参照しながら説明する。
【０２４４】
まず、ホスト・コンピュータ５は、番組項目構成表作成装置１にて作成され、外部記憶装置６に格納された番組項目表のデータファイル群及び項目構成表のデータファイル群から３分後にオン・エアされる番組に関する番組項目表のデータファイル及び項目構成表のデータファイルを読み出して、その番組に適合したキュー・シートの画面表示データを作成するとともに、キュー・シートを構成するバックグラウンド等の各種データから、オペレータが操作する操作スイッチ４１からのトリガーパルスの入力タイミングに応じて番組進行に準じた被制御機器への制御信号の送り先のテーブルデータ（制御用テーブルデータ）を作成する。
【０２４５】
その後、ホスト・コンピュータ５は、上記作成したキュー・シートの画像表示データとテーブルデータをＬＡＮを通して送出コンソール３に転送する。
【０２４６】
送出コンソール３は、ホスト・コンピュータ５からの上記キュー・シートの画像表示データとテーブルデータをインターフェース回路２６を通じて取り込むことになる。この送出コンソール３は、図３４に示すように、キーボードやマウス及びジョイ・スティックなどの入力手段２５と、各種プログラムが登録されたプログラムＲＯＭ５０１と、予め設定された固定データが登録されるデータＲＯＭ５０２と、プログラムＲＯＭ５０１から読み出されたプログラムの動作用領域として使用される動作用ＲＡＭ５０３と、入力手段２５からの数値データや文字データ並びにプログラムにて作成された可変データが格納されるデータＲＡＭ５０４と、データＲＡＭ５０４に格納されたデータを画像データに変換する画像処理回路５０５と、画像処理回路５０５からの画像データをアナログの映像信号に変換して後段のモニタ５０６に送出してモニタ画面上に画像データに基づく映像を表示させる映像出力回路５０７と、これら各各種回路を制御するＣＰＵ（制御回路と演算回路）５０８とを有して構成されている。ここで、上記画像処理回路５０５、映像出力回路５０７及びモニタ５０６にて表示手段５０９が構成される。
【０２４７】
上記各種回路は、ＣＰＵ５０８から導出されたデータバスＤＢを介して各回路間のデータの受渡しが行なわれ、更にＣＰＵ５０８から導出された制御バス（図示せず）を介してそれぞれＣＰＵ５０８にて制御されるように構成されている。
【０２４８】
入力手段２５からの入力データは、第２の入力ポート５１１を介してデータバスＤＢに供給されるようになっており、また、ホスト・コンピュータ５からＬＡＮ及びインターフェース回路２６を介して転送されたキュー・シートに関するデータやアンサーデータ並びに被制御機器群４からシリアルバス及びインターフェース回路２６を介して転送されたトリガーパルスやアンサーデータは、第１の入力ポート５１０を介してデータバスＤＢに供給されるようになっている。
【０２４９】
一方、データＲＡＭ５０４に格納されたデータは、第１の出力ポート５１２を介して画像処理回路５０５に供給されるようになっており、また、各種プログラムにて作成された被制御機器群４に対する制御データ及びホスト・コンピュータ５への問合わせデータは、第２の出力ポート５１３及びインターフェース回路２６を介して出力されるようになっている。
【０２５０】
また、第１の入力ポート５１０とデータバスＤＢ間には第１の入力ポート５１０に供給された被制御機器群４の特に局内時計４２と接続されたリモート・コントローラ６５からの基準時計信号を計数するカウンタ５１４が接続されている。
【０２５１】
次に、この送出コンソール３の特にキュー・シート表示の処理動作について図３５の機能ブロック図及び図３７のフローチャートに基づいて説明する。
【０２５２】
まず、電源ＯＮと同時に初期動作、例えば、装置内のシステムチェックやメモリチェック等が行なわれる（ステップＳ７０１）。その後、プログラムＲＯＭ５０１からキュー・シートの表示データの処理手段５２１であるデータ処理プログラム５２１と、カウンタ５１４からの計数値に基づいて実際に合図を出した現在時刻（実時刻）を計算する手段５２２である実時刻計算プログラムと、項目の予定開始時刻と実時刻との誤差時間を計算する手段５２３である誤差時間計算プログラムと、誤差時間を「遅れ」と「進み」で色分け表示する手段５２４である誤差時間表示プログラムと、誤差時間に応じたメッセージ表示データを出力する手段５２５であるメッセージ処理プログラムと、誤差時間に応じて項目の移動表示を行なう手段５２６である項目移動プログラムと、後述するクッション項目を誤差時間に応じて、項目時間を変更表示し、更にその表示枠を伸縮表示させる手段５２７であるクッション項目処理プログラムと、表示されているキュー・シートをシフト表示させる手段５２８であるシフト表示プログラムと、上記データ処理プログラム５２１と時分割方式にて実行され、被制御機器群４からの応答に従ってキュー・シート上のバックグラウンド枠内の背景色を選定して表示する手段５２９であるバックグラウンド（ＢＧ）色表示プログラムとが読み出されて、動作用ＲＡＭ５０３に書き込まれると同時に、これらプログラムの動作中において生成されたデータを一時的に保存するためやプログラム間のパラメータの受渡しなどに用いられる作業領域が動作用ＲＡＭ５０３中に割り付けられる。
【０２５３】
ここで、上記クッション項目について説明すると、このクッション項目は、アナウンサーのアドリブ的なしゃべり等を送出する項目であり、コマーシャル放送項目などの確定項目の前に予め配置され、番組進行の遅れや進みに応じて、その項目時間を短くしたり長くしたりして、後の確定項目の放送開始時刻までの時間を調整する項目である。
【０２５４】
そして、上記プログラムの書込みが済んだ時点で、データ処理プログラム５２１とＢＧ色表示プログラム５２９が起動される。ここでは、最初にデータ処理プログラム５２１の動作について説明し、その後、ＢＧ色表示プログラム５２９の動作を説明する。
【０２５５】
データ処理プログラム５２１は、ステップＳ７０２において、ホスト・コンピュータ５からのオン・エア３分前におけるキュー・シートに関するデータの転送待ちとなる。転送があった場合、次のステップＳ７０３に進み、ホスト・コンピュータ５から転送されてきたキュー・シートに関するデータをデータＲＡＭ５０４に格納し、次のステップＳ７０４において、キュー・シートに関するデータのうち、表示データを第１の出力ポート５１２を介して画像処理回路５０５に供給し、表示手段５０９を介してモニタ５０６上にキュー・シートを表示する。
【０２５６】
次に、ステップＳ７０５において、ホスト・コンピュータ５からのオン・エア指示待ちとなる。オン・エア指示があった場合、次のステップＳ７０６に進み、トリガーパルスの入力待ちとなる。このトリガーパルスは、オペレータが各項目の送出開始の合図のかわりに操作スイッチ４１を操作することによって発生し、操作スイッチ４１のモート・コントローラ６１からシリアルバスを介してこの送出コンソール３のメイン・コントローラ２７に供給される。
【０２５７】
トリガーパルスが入力されると、次のステップＳ７０７に進み、現在終了項目があるかどうかが判別される。終了項目があった場合、次のステップＳ７０８に進んで、現在表示されているキュー・シート画面に当該終了項目が表示されているかどうかが判別される。当該終了項目が表示されている場合は、次のステップＳ７０９に進み、表示されているキュー・シート画面を横方向にシフト表示させる。この処理は、データ処理プログラム５２１からシフト表示プログラム５２８を起動することにより行なわれる。
【０２５８】
即ち、まず、データＲＡＭ５０４に格納されているキュー・シートの表示データから当該終了項目に関する表示データを無効にし、表示されていない次の項目に関する表示データを有効にして、このキュー・シートに関する表示データを表示手段５０９を介してモニタ５０６上に表示する。これによって、モニタ画面には、左端に位置していた終了項目が削除されて、表示されていなかった次の項目が右端に表示されることになる。
【０２５９】
次に、ステップＳ７１０において、合図を出した実際の現在時刻（実時刻）Ｎを算出する。この処理は、データ処理プログラム５２１から実時刻計算プログラム５２２を起動することにより行なわれる。即ち、該プログラム５２２の起動によって、カウンタ５１４内の値が読み出され、この計数値に基づいて現在時刻を算出する。このカウンタ５１４は、リモート・コントローラ６５を介して供給される局内時計４２からの基準時計信号のパルスを計数するため、この計数値から簡単に現在時刻（実時刻）を割り出すことができる。
【０２６０】
次に、ステップＳ７１１において、合図対象の項目における予定開始時刻ＭをデータＲＡＭ５０４から読み出す。その後、次のステップＳ７１２において、上記読み出した予定開始時刻Ｍから実時刻Ｎを差し引いて誤差時間を求める（Ｍ−Ｎ）。この誤差時間データはデータＲＡＭの所定領域に格納される。この処理は、データ処理プログラム５２１から誤差時間計算プログラム５２３を起動することにより行なわれる。
【０２６１】
次に、ステップＳ７１３において、予定開始時刻と現在時刻との間に誤差があるかどうかが判別される。この判別は、Ｘ≠０かＸ＝０かで行なわれる。Ｘ≠０である場合、即ち、誤差がある場合は、次のステップＳ７１４に進み、現在、予定開始時刻に対して「遅れ」が生じているか、又は「進み」が生じているかが判別される。この判別は、Ｘ＜０かＸ＞０かで行なわれる。Ｘ＜０である場合、即ち、予定開始時刻に対して「遅れ」が生じている場合は、次のステップＳ７１５に進み、オペレータが報知手段（報知用スピーカ，報知用モニタ，アナウンサの耳に装着されるイヤホーン等）３１を介してスタジオ内のアナウンサや進行係りに遅れ時間を知らせる。その後、ステップＳ７１６において遅れ処理サブルーチンに入る。
【０２６２】
この遅れ処理サブルーチンは、図３８に示すように、まず、ステップＳ７１７において、誤差時間を表示する。この処理は、データ処理プログラム５２１から誤差時間表示プログラム５２４を起動することにより行なわれる。即ち、該プログラム５２４の起動によって、データＲＡＭ５０４から誤差時間データを読み出し、この誤差時間データを「遅れ」を示す文字データとともに、画像処理回路５０５に出力して、現在表示されているキュー・シートの右上にある誤差時間表示エリアＺ５１に、誤差時間を示す数値と「遅れ」の文字を表示させる。
【０２６３】
次に、ステップＳ７１８において、データＲＯＭ５０２から遅れを示す色表示データ、この例では赤色データを読み出し、該データを画像処理回路５０５に出力して、上記誤差時間表示エリアＺ５１の背景を赤色に表示させる。
【０２６４】
次に、制御をデータ処理プログラム５２１に移し、次のステップＳ７１９以降の処理を行なう。この処理については、図４１のキュー・シートの概略図に基づいて説明を行なう。まず、ステップＳ７１９において、データＲＡＭ５０４から次のクッション項目ｂの項目時間Ｂを読み出す。その後、ステップＳ７２０において、データＲＡＭ５０４からクッション項目一つ前の項目ａの項目時間Ａを読み出す。ここで、各時間の単位を秒として説明を行なう。
【０２６５】
次に、図３９に示すステップＳ７２１において、Ｘは負であるので−ＸをＸに置き換えて、Ｘ≠Ｂであるかどうかが判別される。Ｘ≠Ｂである場合は、次のステップＳ７２２において、Ｘ＞Ｂであるかどうかが判別される。一方、Ｘ＝Ｂである場合はステップＳ７２３に進み、パラメータＰとして「２」が定義される。
【０２６６】
上記ステップＳ７２２において、Ｘ＞Ｂである場合は、次のステップＳ７２４において、Ｘ≠（Ａ＋Ｂ）であるかどうかが判別される。一方、Ｘ＜Ｂである場合はステップＳ７２５に進み、パラメータＰとして「１」が定義される。
【０２６７】
上記ステップＳ７２４において、Ｘ≠（Ａ＋Ｂ）である場合は、次のステップＳ７２６において、Ｘ＜（Ａ＋Ｂ）であるかどうかが判別される。一方、Ｘ＝（Ａ＋Ｂ）である場合はステップＳ７２７に進み、パラメータＰとして「４」が定義される。
【０２６８】
上記ステップＳ７２６において、Ｘ＜（Ａ＋Ｂ）である場合はステップＳ７２８に進み、パラメータＰとして「３」が定義される。一方、Ｘ＞（Ａ＋Ｂ）である場合はステップＳ７２９に進み、パラメータＰとして「５」が定義される。
【０２６９】
次に、ステップＳ７３０において、メッセージ表示及びクッション項目の変更処理サブルーチンに入る。
【０２７０】
このサブルーチンは、図４０に示すように、定義されたパラメータＰの数値に基づいて、メッセージ表示及びクッション項目の変更を行なう。即ち、まず、ステップＳ８０１において、パラメータＰの数値に応じたメッセージを表示する。具体的には、パラメータＰが「１」の場合（遅れ時間ＸがＢ秒より小さい場合）、「クッションは（Ｂ−Ｘ）秒です」というメッセージを表示する。同様に、パラメータＰが「２」の場合（遅れ時間ＸがＢ秒の場合）、「クッションは０秒です」というメッセージを表示し、パラメータＰが「３」の場合（遅れ時間ＸがＢ秒より大きく（Ａ＋Ｂ）秒より小さい場合）、「項目ａは（Ｘ−Ｂ）秒放送できません。項目ａを移動しますか？」というメッセージを表示し、パラメータＰが「４」の場合（遅れ時間Ｘが（Ａ＋Ｂ）秒の場合）、「項目ａはすべて放送できません。項目ａを移動しますか？」というメッセージを表示し、パラメータＰが「５」の場合（遅れ時間Ｘが（Ａ＋Ｂ）秒より大きい場合）、「項目ｋは（Ｘ−（Ａ＋Ｂ））秒放送できません。項目ｋ及びａを移動しますか？」というメッセージを表示する。
【０２７１】
これらの処理は、データ処理プログラム５２１からメッセージ処理プログラム５２５を起動することにより行なわれる。即ち、該プログラム５２５の起動によって、データＲＯＭ５０２に登録されている遅れ用メッセージデータテーブルからパラメータＰをインデックスとして該当するメッセージデータを読み出し、該メッセージデータを画像処理回路５０５に出力することにより、図４に示すように、現在表示されているキュー・シートの右下にあるメッセージ表示エリアＺ５２に、該当するメッセージを表示させる。
【０２７２】
次に、ステップＳ８０２において、パラメータの内容が項目移動を対象とした値（この遅れ処理においては、Ｐ≧３）かどうかが判別される。パラメータＰの値がＰ≧３である場合、次のステップＳ８０３に進み、キー入力待ちとなる。キー入力があった場合、次のステップＳ８０４において、移動を示すキー入力であるかどうかが判別される。移動を示すキー入力であれば、次のステップＳ８０５に進み、該当項目の移動を行なう。この処理は、データ処理プログラム５２１から項目移動プログラム５２６を起動することにより行なわれる。即ち、該プログラム５２６の起動によって、データＲＡＭ５０４に格納されているキュー・シートに関する表示データ及び制御データのうち、パラメータＰの値が３又は４であれば項目ａに関するデータを、パラメータＰの値が５であれば項目ｋ及び項目ａに関するデータを確定項目の後ろに移動させる。その後に、移動が完了した表示データを画像処理回路５０５に出力して、再度キュー・シートをモニタ５０６の画面に表示させる。このとき、モニタ５０６に表示されるキュー・シートの内容は、項目ａ（あるいは項目ｋ及びａ）が確定項目の前ではなくその後ろに配置されたものとなる。
【０２７３】
次に、ステップＳ８０６において、現在表示されているキュー・シートの右下にあるメッセージ表示エリアＺ５２に、今度は、項目移動に伴うメッセージを表示する。即ち、パラメータＰが「３」の場合、「クッションは（Ａ−（Ｘ−Ｂ））秒です」というメッセージを表示する。同様に、パラメータＰが「４」の場合、「クッションは０秒です」というメッセージを表示し、パラメータＰが「５」の場合、「クッションは（Ｋ−（Ｘ−（Ａ＋Ｂ）））秒です」というメッセージを表示する。これらの処理も、上記と同様に、データ処理プログラム５２１からメッセージ処理プログラム５２５を起動することにより行なわれる。
【０２７４】
次に、ステップＳ８０７において、クッション項目の変更処理を行なう。この処理は、データ処理プログラム５２１からクッション項目処理プログラム５２７を起動することにより行なわれる。即ち、該プログラム５２７の起動によって、まず、クッション項目の項目時間が、上記ステップＳ８０４において、移動要求があった場合は、移動後のクッション項目の時間に、移動要求がなかった場合は、移動前のクッション項目の時間にそれぞれ変更される。
【０２７５】
即ち、移動要求があった場合において、パラメータが「１」の場合は（Ｂ−Ｘ）秒に、パラメータが「２」の場合は０秒に、パラメータが「３」の場合はＡ−（Ｘ−Ｂ）秒に、パラメータが「４」の場合は０秒に、パラメータが「５」の場合はＫ−（Ｘ−（Ａ＋Ｂ））秒にそれぞれ変更され、移動要求がなかった場合において、パラメータが「１」の場合は（Ｂ−Ｘ）秒に、パラメータが「２」の場合は０秒に、パラメータが「３」の場合は−（Ｘ−Ｂ）秒に、パラメータが「４」の場合は−Ａ秒に、パラメータが「５」の場合は−（Ｘ−Ｂ）秒にそれぞれ変更される。
【０２７６】
次に、ステップＳ８０８において、データＲＡＭ５０４に格納されているクッション項目の枠表示データを、クッション項目の変更時間に応じて伸縮させたデータにし、更に、データＲＡＭ５０４に格納されているクッション項目の項目時間の表示データを変更時間データに書き換える。そして、これら変更したクッション項目に関する表示データを画像処理回路５０５に出力する。これによって、図４１で示すクッション項目の項目時間表示エリアＺ５３に変更時間が表示され、更に、表示枠Ｚ５４が変更時間に応じて横方向に伸縮して表示されることになる。一方、変更時間が０又は負の値であれば、当該クッション項目のデータを無効にする。これによって、表示されているキュー・シートから当該クッション項目の表示が消去された表示形態となる。
【０２７７】
一方、ステップＳ８０４において移動要求のキー入力でなかった場合、あるいは上記ステップＳ８０２においてパラメータが「１」又は「２」である場合は、直接ステップＳ８０７以降の処理に進んで、クッション項目の変更処理を行なう。
【０２７８】
そして、図３６の処理ルーチンに戻り、ステップＳ７１４において、Ｘ＞０で「進み」と判別された場合は、ステップＳ７３１に進み、オペレータが報知手段（報知用スピーカ，報知用モニタ，アナウンサの耳に装着されるイヤホーン等）３１を介してスタジオ内のアナウンサや進行係りに進み時間を知らせる。その後、ステップＳ７３２において進み処理サブルーチンに入る。
【０２７９】
この進み処理サブルーチンは、図４２に示すように、まず、ステップＳ７３３において、誤差時間を表示する。この処理は、データ処理プログラム５２１から誤差時間表示プログラム５２４を起動することにより行なわれる。即ち、該プログラム５２４の起動によって、データＲＡＭ５０４から誤差時間データを読み出し、この誤差時間データを「進み」を示す文字データとともに、画像処理回路５０５に出力して、図４に示すように、現在表示されているキュー・シートの右上にある誤差時間表示エリアＺ５１に、誤差時間を示す数値と「進み」の文字を表示させる。
【０２８０】
次に、ステップＳ７３４において、データＲＯＭ５０２から進みを示す色表示データ、この例では緑色データを読み出し、該データを画像処理回路５０５に出力して、上記誤差時間表示エリアＺ５１の背景を緑色に表示させる。
【０２８１】
次に、制御をデータ処理プログラム５２１に移し、次のステップＳ７３５以降の処理を行なう。この処理についても、図４１のキュー・シートの概略図に基づいて説明を行なう。まず、ステップＳ７３５において、データＲＡＭ５０４から次のクッション項目ｂの項目時間Ｂを読み出す。次にステップＳ７３６において、データＲＡＭ５０４から確定項目の次の項目ｃの項目時間Ｃを読み出す。その後、ステップＳ７３７において、データＲＡＭ５０４から項目ｃの次の項目ｄの項目時間Ｄを読み出す。ここで、各時間の単位を秒として説明を行なう。
【０２８２】
次に、図４３に示すステップＳ７３８において、Ｘ≠Ｃであるかどうかが判別される。Ｘ≠Ｃである場合は、次のステップＳ７３９において、Ｘ＞Ｃであるかどうかが判別される。一方、Ｘ＝Ｃである場合はステップＳ７４０に進み、パラメータＰとして「２」が定義される。
【０２８３】
上記ステップＳ７３９において、Ｘ＞Ｃである場合は、次のステップＳ７４１において、Ｘ≠（Ｃ＋Ｄ）であるかどうかが判別される。一方、Ｘ＜Ｃである場合はステップＳ７４２に進み、パラメータＰとして「１」が定義される。
【０２８４】
上記ステップＳ７４１において、Ｘ≠（Ｃ＋Ｄ）である場合は、次のステップＳ７４３において、Ｘ＜（Ｃ＋Ｄ）であるかどうかが判別される。一方、Ｘ＝（Ｃ＋Ｄ）である場合はステップＳ７４４に進み、パラメータＰとして「４」が定義される。
【０２８５】
上記ステップＳ７４３において、Ｘ＜（Ｃ＋Ｄ）である場合はステップＳ７４５に進み、パラメータＰとして「３」が定義される。一方、Ｘ＞（Ｃ＋Ｄ）である場合はステップＳ７４６に進み、パラメータＰとして「５」が定義される。
【０２８６】
次に、ステップＳ７４７において、メッセージ表示及びクッション項目の変更処理サブルーチンに入る。
【０２８７】
このサブルーチンは、上記図４０で示した処理と同じ処理を行なうため、その処理動作を図４０に基づいて説明する。まず、ステップＳ８０１において、パラメータの数値に応じたメッセージを表示する。具体的には、パラメータＰが「１」の場合（進み時間ＸがＣ秒より小さい場合）、「クッションは（Ｂ＋Ｘ）秒です」というメッセージを表示する。同様に、パラメータＰが「２」の場合（進み時間ＸがＣ秒の場合）、「クッションは（Ｂ＋Ｃ）秒です。項目ｃを移動しますか？」というメッセージを表示し、パラメータＰが「３」の場合（進み時間ＸがＣ秒より大きく（Ｃ＋Ｄ）秒より小さい場合）、「クッションは（Ｂ＋Ｘ）秒です。項目ｃを移動しますか？」というメッセージを表示し、パラメータＰが「４」の場合（進み時間Ｘが（Ｃ＋Ｄ）秒の場合）、「クッションは（Ｂ＋Ｃ＋Ｄ）秒です。項目ｃ及びｄを移動しますか？」というメッセージを表示し、パラメータＰが「５」の場合（進み時間Ｘが（Ｃ＋Ｄ）秒より大きい場合）、「クッションは（Ｂ＋Ｘ）秒です。項目ｃ，ｄ及びｊを移動しますか？」というメッセージを表示する。
【０２８８】
これらの処理は、データ処理プログラム５２１からメッセージ処理プログラム５２５を起動することにより行なわれる。即ち、該プログラム５２５の起動によって、データＲＯＭ５０２に登録されている進み用メッセージデータテーブルからパラメータＰをインデックスとして該当するメッセージデータを読み出し、該メッセージデータを画像処理回路５０５に出力することにより、図４に示すように、現在表示されているキュー・シートの右下にあるメッセージ表示エリアＺ５２に、該当するメッセージを表示させる。
【０２８９】
次に、ステップＳ８０２において、パラメータＰの内容が項目移動を対象とした値（この進み処理においては、Ｐ≧２）かどうかが判別される。パラメータＰの値がＰ≧２である場合、次のステップＳ８０３に進み、キー入力待ちとなる。キー入力があった場合、次のステップＳ８０４において、移動を示すキー入力であるかどうかが判別される。移動を示すキー入力であれば、次のステップＳ８０５に進み、該当項目の移動を行なう。
【０２９０】
この処理は、データ処理プログラム５２１から項目移動プログラム５２６を起動することにより行なわれる。即ち、該プログラム５２６の起動によって、データＲＡＭ５０４に格納されているキュー・シートに関する表示データ及び制御データのうち、パラメータＰの値が２又は３であれば項目ａに関するデータを、パラメータＰの値が４であれば項目ｃ及び項目ｄに関するデータを、パラメータＰの値が５であれば項目ｃ，項目ｄ及び項目ｊに関するデータを確定項目のクッション項目ｂの前に移動させる。その後に、移動が完了した表示データを画像処理回路５０５に出力して、再度キュー・シートをモニタ５０６の画面に表示させる。このとき、モニタに表示されるキュー・シートの内容は、項目ｃ（あるいは項目ｃ及びｄ、あるいは項目ｃ，ｄ及びｊ）が確定項目の後ろではなく、クッション項目の前に配置されたものとなる。
【０２９１】
次に、ステップＳ８０６において、現在表示されているキュー・シートの右下にあるメッセージ表示エリアＺ５２に、今度は、項目移動に伴うメッセージを表示する。即ち、パラメータＰが「２」の場合、「クッションはＢ秒です」というメッセージを表示する。同様に、パラメータＰが「３」の場合、「クッションは（Ｘ−Ｃ）＋Ｂ秒です」というメッセージを表示し、パラメータＰが「４」の場合、「クッションはＢ秒です」というメッセージを表示し、パラメータＰが「５」の場合、「クッションはＢ−（Ｃ＋Ｄ＋Ｊ−Ｘ）秒です」というメッセージを表示する。これらの処理も、上記と同様に、データ処理プログラム５２１からメッセージ処理プログラム５２５を起動することにより行なわれる。
【０２９２】
次に、ステップＳ８０７において、クッション項目の変更処理を行なう。この処理は、データ処理プログラム５２１からクッション項目処理プログラム５２７を起動することにより行なわれる。即ち、該プログラム５２７の起動によって、まず、クッション項目の項目時間が、上記ステップＳ８０４において、移動要求があった場合は、移動後のクッション項目の時間に、移動要求がなかった場合は、移動前のクッション項目の時間にそれぞれ変更される。
【０２９３】
即ち、移動要求があった場合において、パラメータが「１」の場合は（Ｘ＋Ｂ）秒に、パラメータが「２」の場合はＢ秒に、パラメータが「３」の場合は（Ｘ−Ｃ）＋Ｂ秒に、パラメータが「４」の場合はＢ秒に、パラメータが「５」の場合はＢ−（Ｃ＋Ｄ＋Ｊ−Ｘ）秒にそれぞれ変更され、移動要求がなかった場合において、パラメータが「１」の場合はＸ＋Ｂ秒に、パラメータが「２」の場合はＢ＋Ｃ秒に、パラメータが「３」の場合はＸ＋Ｂ秒に、パラメータが「４」の場合はＢ＋Ｃ＋Ｄ秒に、パラメータが「５」の場合は（Ｘ＋Ｂ）秒にそれぞれ変更される。
【０２９４】
次に、ステップＳ８０８において、データＲＡＭ５０４に格納されているクッション項目の枠表示データを、クッション項目の変更時間に応じて伸縮させたデータにし、更に、データＲＡＭ５０４に格納されているクッション項目の項目時間の表示データを変更時間データに書き換える。そして、これら変更したクッション項目に関する表示データを画像処理回路５０５に出力する。これによって、図４１で示すクッション項目の項目時間表示エリアＺ５３に変更時間が表示され、更に、表示枠Ｚ５４が変更時間に応じて横方向に伸縮して表示されることになる。
【０２９５】
一方、ステップＳ８０４において移動要求のキー入力でなかった場合、あるいは上記ステップＳ８０２においてパラメータが「１」である場合は、直接ステップＳ８０７以降の処理に進んで、クッション項目の変更処理を行なう。
【０２９６】
そして、図３６の処理ルーチンに戻り、次のステップＳにおいて、番組終了であるかが判別される。番組が終了していない場合は、ステップＳ７０６以降の処理に戻る。一方、番組が終了した場合は、この処理ルーチンも終了することになる。
【０２９７】
次に、ＢＧ色表示プログラム５２９の処理動作について図４４のフローチャートを参照しながら説明する。
【０２９８】
このプログラム５２９は、まず、ステップＳ９０１において、データＲＯＭ５０２から半透明のグレー表示データを読み出し、該データを画像処理回路５０５に出力して、現在表示されているキュー・シートの全てのバックグラウンド、効果、スーパー、音声の枠内におけるカラー表示を半透明のグレー表示にする。この表示処理によって、例えば図４のキュー・シートの表示例で示すと、バックグラウンドの各枠内に表示されているアナウンサーの絵表示やＶＴＲ番号等の英数字表示及び効果、スーパー、音声欄のＶＴＲ番号等の英数字表示の前面に、半透明のグレーがかかった表示形態となる。
【０２９９】
次に、ステップＳ９０２において、ホスト・コンピュータ５からのオン・エア指示待ちとなる。オン・エア指示があった場合、次のステップＳ９０４に進み、各機器に対してスタンバイ指示を出す。この指示は、例えばカメラショットの場合は、ショット番号をリコールし、ＶＴＲであればテープを装填し、頭出しをするといった指示である。
【０３０１】
次に、ステップＳ９０５において、被制御機器群４からの応答があったかどうかの判別が行なわれる。この被制御機器群４からの応答は、例えば、放送用カメラ３２への合図、例えば図４で示すキュー・シートでみると、項目４における放送用カメラ３２への指示、この例では記号Ｃ１−４となっており、これは、第１カメラへのショット番号４を示すものである。ショット番号は、例えばパン、ティルト、ズーム、フォーカス等の情報を持ったショットを示すものである。
【０３０２】
従って、この場合は、第１カメラに対し、男性アナウンサーへのフォーカスショットを指示するものである。そして、この項目４を操作スイッチ４１の操作によって合図を送ると、操作スイッチ４１の操作に基づいて、リモート・コントローラ６１からトリガーパルスがメイン・コントローラ２７に入力され、メイン・コントローラ２７は、トリガーパルスとキュー・シートの制御データに基づいて、放送用カメラ３２に対してＣ１ー４を示す制御信号を出力する。放送用カメラの第１カメラが男性アナウンサーに対するフォーカスショット動作を終わらした段階でこの第１カメラから応答信号がメイン・コントローラ２７に入力されることになる。
【０３０３】
その他、ビデオカートマシン２１や単体の送出用ＶＴＲ２２においては、図２６のフローチャートにおけるステップＳ５２７で示す頭出し完了信号がメイン・コントローラ２７からの制御信号に対する応答としてメイン・コントローラ２７に入力されることになる。
【０３０４】
また、スーパーインポーズ要求においてスーパーの文字列を出力した時点で、該当機器のリモート・コントローラから応答がメイン・コントローラ２７に入力されることになる。
【０３０５】
このステップＳ９０５においては、被制御機器群４にて出力された応答信号のメイン・コントローラ２７への入力に基づいて、「応答有り」を判別する。
【０３０６】
応答信号の入力があった場合、次のステップＳ９０６に進み、応答のあった被制御機器に対応する項目のバックグラウンドの枠内におけるカラー表示を半透明の白表示にする。この表示処理によって、例えば図４のキュー・シートの表示例で示すと、バックグラウンドの各枠内に表示されているアナウンサーの絵表示やＶＴＲ番号等の英数字表示及び効果、スーパー、音声欄のＶＴＲ番号等の英数字表示の前面が半透明の白色がかった表示形態となる。ここで、次のステップＳ９０３に進み、トリガーパルスの入力待ちとなる。
【０３０７】
トリガーパルスが入力されると、次のステップＳ９０８に進み、現在送出中の構成イベントにおけるバックグラウンドの枠のカラー表示を赤色とし、次に送出される構成イベントにおけるバックグランドの枠のカラー表示を緑色とする。即ち、データＲＯＭ５０２から赤色表示データ及び緑色表示データを読み出し、該データを画像処理回路５０５に出力して、現在送出中のバックグラウンドにおける枠のカラー表示を赤色表示にし、次に送出される構成イベントにおけるバックグラウンドの枠のカラー表示を緑色表示にする。
次に、ステップＳ９０７において、番組終了であるかが判別される。番組が終了していない場合は、ステップＳ９０４以降の処理に戻って、各機器に対してスタンバイ指示を出し、番組が終了した場合は、この処理ルーチンも終了することになる。
【０３０８】
このように、上記送出コンソールにおいては、局内時計からの基準時計信号をカウンタに取り込み、トリガーパルスの入力に合わせて、カウンタ内の計数値を読み出して合図のあった実際の現在時刻（実時刻）を計測し、予めスケジュールされた予定開始時刻との誤差を計算して、この誤差時間から番組進行の遅れ又は進みを検出し、この検出結果と誤差時間を、送出コンソールのモニタに表示されているキュー・シート上に反映するようにしたので、オペレータは、その表示されている誤差時間から番組の進行状況を正確に把握することができ、その結果、いままで必要であったタイムキーパーを不要にすることが可能となる。
【０３０９】
特に、この例では、遅れ時間が、予め設定されたクッション項目の項目時間より大きくなった場合には、クッション項目より更に前の項目ａを自動的に確定項目の後ろに移動させることにより（番組が進行している間に遅れ時間が小さくなれば再び確定項目の前に戻される）、クッション項目の時間調整を行なってキュー・シートに反映させるようにしたので、遅れ／進みの状況に従って、自動的に時間調整が行なわれてキュー・シートに反映されることになり、それにより、いままでオペレータが行なっていたストップウォッチと手計算による時間調整作業を不要にすることができ、その結果、送出時の混乱がなくなり、番組の時間調整をスムーズに行なうことができる。
【０３１０】
また、この例では、モニタに誤差時間のほかに、クッション項目の送出時間に応じたメッセージが表示されるため、クッション項目の時間配分をすばやく把握でき、次に送出される確定項目への影響をなくすことが可能となり、確定項目の開始時刻までに、確実にその項目を終了させることができる。
【０３１１】
上記項目の移動後において、再びクッション項目の送出時間を計算するようにし、その送出時間に応じたメッセージを表示するようにしたので、項目移動によってクッション項目の時間配分がどれだけ変わったかをすばやく把握でき、次に送出される確定項目への影響をなくすことが可能となり、確定項目の開始時刻までに、確実にその項目を終了させることができる。
【０３１２】
また、この例では、調整された送出時間に応じてクッション項目の枠表示を伸縮させるようにしたので、オペレータは、その伸縮の度合によってクッション項目の送出時間を直感的に知ることができるようになる。また、現在送出中の項目の枠のカラー表示を他の項目と異なる赤色表示としたので、現在送出している項目の内容を一目瞭然に知ることができる。
【０３１３】
操作スイッチからのトリガーパルスの入力に基づくメイン・コントローラによる被制御機器に対する制御に基づいて、該当項目における被制御機器からの応答があったとき、上記該当項目のバックグラウンド、効果、スーパー、音声の枠内の表示を半透明のグレー表示から半透明の白表示に変化させるようにしたので、被制御機器のスタンバイ完了や動作完了を一目瞭然に知ることができる。
【０３１４】
また、この例では、モニタに表示されているキュー・シート上から終了項目を削除し、次の新たな項目をシフト表示するようにしたので、モニタにキュー・シートの全項目を表示させる必要がなくなり、各項目の表示内容を詳しいものとすることができ、きめ細かい送出処理を行なうことができる。
【０３１５】
【発明の効果】
上述のように、本発明に係る番組送出システムによれば、送出リスト作成部と、送出用媒体編集部と、送出用被制御部とを具備してなり、送出リスト作成部に、番組を構成する各項目の送出順序を決定する送出順序決定手段と、送出順序決定手段にて決定された送出順序に基づいて、番組を放送するための送出リストを作成する送出リスト作成手段と、送出順序決定手段での送出用媒体に対する送出順序の決定に基づいて、識別情報を生成する識別情報生成手段とを設け、送出用媒体編集部に、送出用媒体の所定領域に識別情報を記録する識別情報記録手段を設け、送出用被制御部に、送出用媒体編集部から投入された送出用媒体から識別情報を読み取る識別情報読取り手段と、この識別情報読取り手段にて読み取った識別情報に基づいて、送出リストに対し、送出順序の照会を行う送出順序照会手段と、この送出順序照会手段からの照会結果に基づいて、送出順序情報を作成する送出順序情報作成手段と、送出合図の入力に基づいて、送出順序情報から送出すべき送出用媒体を選択する送出用媒体選択手段と、この送出用媒体選択手段にて選択された送出用媒体に対して、情報信号の再生送出を行う再生手段とを設けるようにしたので、送出用媒体に記録されている識別番号を読み取って、送出リスト作成部にて作成された送出リストを参照して識別情報の照会を行い、当該送出用媒体が何番目に送出されるべき造出用媒体であるかが特定されることになる。即ち、送出合図があった場合、その合図が示す送出順序にあった送出用媒体が自動的に選択されて再生・送出されることになる。従って、再生手段が例えば送出用媒体が着脱自在に収容される複数の収容棚を有する場合において、どの棚にどの送出用媒体を収容するか、といったことは全く気にすることなく、スケジュールされた通りに確実な送出を行うことができる。
【０３１６】
また、本発明に係る番組送出システムによれば、番組を構成する各項目の送出順序を決定する送出順序決定手段と、この送出順序決定手段にて決定された送出順序に基づいて、番組を放送するための送出リストを作成する送出リスト作成手段と、送出用媒体の所定領域の情報を読み取って、識別情報の有無を検出する識別情報検出手段と、この識別情報検出手段での検出結果を識別表示する検出結果識別表示手段と、上記検出結果が有効である場合、読み取った識別情報の送出リスト上での登録の有無を照合する識別情報照合手段と、上記検出結果が無効である場合、送出リスト作成手段に対して項目確認指令を出力し、未照合項目の提示を要求する未照合項目処理手段と、上記識別情報照合手段にて受けた有効回答又は未照合項目処理手段にて受けた項目提示に対する選択的な決定に基づいて、送出用媒体に対して情報信号の再生送出を行う再生手段とを設けるようにしたので、まず、検出結果識別表示手段によって、識別情報検出手段での検出結果が識別表示されることになり、オペレータは識別情報の有無を容易に確認することができる。しかも、識別情報が記録されていない送出用媒体に対しても、疑似的に識別情報が記録されているかのごとく、その自動送出が可能となる。
【０３１７】
また、本発明に係る番組送出システムによれば、上記識別情報生成手段として、生成した識別情報を記録媒体に記録する手段を設け、識別情報記録手段として、記録媒体に記録された識別情報を読み取る手段を設けるようにしたので、記録媒体が上記生成された識別情報を送出用媒体に記録するための中継役として機能し、送出リスト作成部での処理と送出用媒体編集部での処理をそれぞれ個別に行うことができる。
【０３１８】
また、本発明に係る番組送出システムによれば、送出合図の入力前に予めビデオテープの頭出しを行う頭出し処理手段を設ける、あるいは該頭出し処理手段にて送出合図の所定時間前に入力されるスタンバイ指令に基づいて、ビデオテープの頭出しを行うようにしたので、再生手段にて当該項目に関するビデオテープに対して再生動作が行われる前に、当該項目に関するビデオテープの頭出しが行われることになる。そのため、送出開始を示す合図と同時にビデオテープに収録されている映像が送出されることになる。
また、本発明に係る番組送出システムによれば、頭出し処理手段を、ビデオテープの所定トラックに記録されたタイムコードに基づいて頭出しを行うようにしたので、映像データや音声データ等と異なり、その区別が非常に容易であるため、高精度に頭出しを行うことができる。
【図面の簡単な説明】
【図１】番組送出システムの全体を示す構成図である。
【図２】番組項目表の表示例を示す図である。
【図３】項目構成表の表示例を示す図である。
【図４】キュー・シートの表示例を示す図である。
【図５】被制御機器群の内訳の一例を示す構成図である。
【図６】番組項目構成表作成装置のハード構成を示すブロック図である。
【図７】番組項目構成表作成装置における番組項目表作成の機能ブロック図である。
【図８】番組項目構成表作成装置における番組項目表作成の処理動作を示すフローチャートである。
【図９】番組項目構成表作成装置における項目構成表作成の機能ブロック図である。
【図１０】番組項目構成表作成装置における項目構成表作成の処理動作を示すフローチャートである。
【図１１】アイコン選択処理（サブルーチン）を示すフローチャートである。
【図１２】番組項目表の他の表示例を示す図である。
【図１３】番組項目構成表作成装置の変形例における番組項目表作成の機能ブロック図である。
【図１４】番組項目構成表作成装置の変形例における番組項目表作成の処理動作を示すフローチャートである。
【図１５】所要時間決定手段による処理動作（サブルーチン）を示すフローチャートである。
【図１６】期間検出手段による処理動作及び残時間処理（サブルーチン）を示すフローチャートである。
【図１７】緊急パターン追加の処理動作を示すフローチャートである。
【図１８】番組項目表の他の表示例（緊急パターンの追加例）を示す図である。
【図１９】ビデオ編集装置におけるコントローラのハード構成を示すブロック図である。
【図２０】ビデオ編集装置におけるコントローラの処理動作を示す機能ブロック図である。
【図２１】ビデオ編集装置におけるコントローラの処理動作を示すフローチャートである。
【図２２】ビデオ編集装置におけるコントローラの前面構成とその処理動作に伴うモニタ画面表示例を示す説明図である。
【図２３】ビデオテープの記録フォーマット例を示す説明図である。
【図２４】ビデオカートマシンにおけるリモート・コントローラのハード構成を示すブロック図である。
【図２５】ビデオカートマシンにおけるリモート・コントローラの処理動作を示す機能ブロック図である。
【図２６】ビデオカートマシンにおけるリモート・コントローラの処理動作を示すフローチャート（その１）である。
【図２７】ビデオカートマシンにおけるリモート・コントローラの処理動作を示すフローチャート（その１）である。
【図２８】ビデオカートマシンにおけるリモート・コントローラの変更処理（サブルーチン）を示すフローチャートである。
【図２９】単体の送出用ＶＴＲを構成するＶＴＲ本体と表示パネルをリモート・コントローラとともに示す構成図である。
【図３０】単体の送出用ＶＴＲにおけるリモート・コントローラのハード構成を示すブロック図である。
【図３１】単体の送出用ＶＴＲにおけるリモート・コントローラの処理動作を示す機能ブロック図である。
【図３２】単体の送出用ＶＴＲにおけるリモート・コントローラの処理動作を示すフローチャートである。
【図３３】未照会処理（サブルーチン）を示すフローチャートである。
【図３４】送出コンソールのメイン・コントローラのハード構成を示すブロック図である。
【図３５】送出コンソールのメイン・コントローラにおけるキュー・シートに関するデータ処理を示す機能ブロック図である。
【図３６】送出コンソールのメイン・コントローラにおけるキュー・シートに関するデータ処理（誤差時間処理）を示すフローチャート（その１）である。
【図３７】送出コンソールのメイン・コントローラにおけるキュー・シートに関するデータ処理（誤差時間処理）を示すフローチャート（その２）である。
【図３８】遅れ処理（サブルーチン）を示すフローチャート（その１）である。
【図３９】遅れ処理（サブルーチン）を示すフローチャート（その２）である。
【図４０】メッセージ処理手段、項目移動手段，クッション項目処理手段による処理動作（サブルーチン）を示すフローチャートである。
【図４１】誤差時間処理の説明で用いられるキュー・シートの概略図である。
【図４２】進み処理（サブルーチン）を示すフローチャート（その１）である。
【図４３】進み処理（サブルーチン）を示すフローチャート（その２）である。
【図４４】バックグラウンド色表示手段による処理動作を示すフローチャートである。
【符号の説明】
１  番組項目構成表作成装置（端末）
２  ビデオ編集装置
３  送出コンソール
４  被制御機器群
５  ホスト・コンピュータ
６  外部記憶装置
７，９，２５  入力手段
１０  ＩＣカード
１１  ビデオカセット
１２  コントローラ
２１  ビデオカートマシン
２２  単体の送出用ＶＴＲ
２３  モニタ
２６  インターフェース回路
２７  メイン・コントローラ
４１  操作スイッチ
４２  局内時計
５１〜６６  リモート・コントローラ
１２１  表作成手段
１２２  累積演算手段
１２３  減算手段
１３１  構成表作成手段
１３２  項目事項読出し手段
１３３  アイコン選択手段
１３４  ＩＤ番号発行手段
１４１  所要時間決定手段
１４２  期間検出手段
１５１  緊急項目読出し手段
２２１  データ処理手段
２２２  ＩＤ番号出力手段
２２３  頭出しパターン出力手段
３２１  マシン制御手段
３２２  テーブル作成手段
３２３  ＩＤ番号検出手段
３２４  棚番号検出手段
３２５  頭出し処理手段
３２６  照会処理手段
４２１  ＶＴＲ制御手段
４２２  照会処理手段
４２３  ＩＤ番号検出手段
４２４  表示色選定手段
４２５  頭出し処理手段
５１４  カウンタ
５２１  データ処理手段
５２２  実時刻計算手段
５２３  誤差時間計算手段
５２４  誤差時間表示手段
５２５  メッセージ処理手段
５２６  項目移動手段
５２７  クッション項目処理手段
５２８  シフト表示手段
５２９  バックグラウンド色表示手段
【図１】
0003543345.tif 000002
【図２】
0003543345.tif 000003
【図３】
0003543345.tif 000004
【図４】
0003543345.tif 000005
【図５】
0003543345.tif 000006
【図６】
0003543345.tif 000007
【図７】
0003543345.tif 000008
【図８】
0003543345.tif 000009
【図９】
0003543345.tif 000010
【図１０】
0003543345.tif 000011
【図１１】
0003543345.tif 000012
【図１２】
0003543345.tif 000013
【図１３】
0003543345.tif 000014
【図１４】
0003543345.tif 000015
【図１５】
0003543345.tif 000016
【図１６】
0003543345.tif 000017
【図１７】
0003543345.tif 000018
【図１８】
0003543345.tif 000019
【図１９】
0003543345.tif 000020
【図２０】
0003543345.tif 000021
【図２１】
0003543345.tif 000022
【図２２】
0003543345.tif 000023
【図２３】
0003543345.tif 000024
【図２４】
0003543345.tif 000025
【図２５】
0003543345.tif 000026
【図２６】
0003543345.tif 000027
【図２７】
0003543345.tif 000028
【図２８】
0003543345.tif 000029
【図２９】
0003543345.tif 000030
【図３０】
0003543345.tif 000031
【図３１】
0003543345.tif 000032
【図３２】
0003543345.tif 000033
【図３３】
0003543345.tif 000034
【図３４】
0003543345.tif 000035
【図３５】
0003543345.tif 000036
【図３６】
0003543345.tif 000037
【図３７】
0003543345.tif 000038
【図３８】
0003543345.tif 000039
【図３９】
0003543345.tif 000040
【図４０】
0003543345.tif 000041
【図４１】
0003543345.tif 000042
【図４２】
0003543345.tif 000043
【図４３】
0003543345.tif 000044
【図４４】
0003543345.tif 000045